(57)【要約】【課題】飛躍的に増大するデジタル放送の番組の中から、受信側の受信機をより簡単に操作することで、受信側の視聴者に適合した番組を視聴者に視聴させることができるデジタル放送受信方法、装置、プログラムを提供する。【解決手段】地上波、衛星波、ケーブルテレビ網および通信回線網を通して送信されているデジタル放送の番組を所定の選択パターンで受信するデジタル放送受信装置１が、選択パターンを記憶する記憶部５と、所定の選択パターンを決定する選択パターン決定手段３ｂと、所定の選択パターンに切り替える選択パターン切替手段３ｃと、切り替えられたデジタル放送の番組を受信する受信部７と、を備えた。【選択図】      図１
2004254077.tif 000002
【特許請求の範囲】
【請求項１】
地上波、衛星波、ケーブルテレビ網および通信回線網を通じて送信されているデジタル放送の番組を、視聴者の個人情報が参照されて生成される所定の選択パターンで受信するデジタル放送受信方法であって、
前記番組の中から、視聴者の視聴意図に応じて、当該視聴者が視聴する番組の前記所定の選択パターンを、
現在放送されているデジタル放送の番組の中から任意に番組を選別する番組選別パターンと、
予め視聴者が関心のある事項を指定して、この事項に係る番組を検索する番組検索パターンと、
予め視聴者が指定した生活態様に応じて番組が選定される過ごし方指定パターンと、
予め記録装置に登録しておいた視聴者の個人情報に基づいて番組が選定される番組推奨パターンと、
前記視聴者が前記番組を視聴する視聴時刻に関連付けられたチャンネルに設定されるチャンネル設定パターンとのいずれかに随時切り替えて、前記デジタル放送の番組を受信することを特徴とするデジタル放送受信方法。
【請求項２】
地上波、衛星波、ケーブルテレビ網および通信回線網を通して送信されているデジタル放送の番組を、視聴者の個人情報が参照されて生成される所定の選択パターンで受信するデジタル放送受信装置であって、
前記視聴者の個人情報と前記視聴者が視聴する番組の前記所定の選択パターンである、現在放送されているデジタル放送の番組の中から任意に番組を選別する番組選別パターンと、予め視聴者が関心のある事項を指定して、この事項に係る番組を検索する番組検索パターンと、予め視聴者が指定した生活態様に応じて番組が選定される過ごし方指定パターンと、前記視聴者の個人情報に基づいて番組が選定される番組推奨パターンと、前記視聴者が前記番組を視聴する視聴時刻に関連付けられたチャンネルに設定されるチャンネル設定パターンとを記憶する記憶手段と、
前記番組の中から、前記視聴者の視聴意図に応じて、前記所定の選択パターンを決定する選択パターン決定手段と、
この選択パターン決定手段で決定された所定の選択パターンに切り替える選択パターン切替手段と、
この選択パターン切替手段で切り替えられた前記デジタル放送の番組を受信する受信手段と、
を備えることを特徴とするデジタル放送受信装置。
【請求項３】
前記視聴者の個人情報と、デジタル放送におけるサービス情報に含まれている、各番組の番組名、番組の簡単な説明である番組記述および番組を分類した番組分類を含んだ番組情報とを比較する比較手段を備え、
前記番組選別パターンは、この比較手段で比較した比較結果に基づいて設定されることを特徴とする請求項２に記載のデジタル放送受信装置。
【請求項４】
前記視聴者の個人情報および視聴者が個別に入力した視聴者個人の関心事項情報とに基づいて、当該視聴者が関心を寄せる番組を分類した関心番組分類を生成する関心番組分類生成手段と、
この関心番組分類生成手段で生成された関心番組分類と、前記番組情報に含まれている番組分類とを比較して一致する番組を検出し、放送されている番組の残り時間、または、放送される番組の放送時刻と、前記サービス情報に含まれている番組をジャンル分けしたジャンル情報とに基づいて、当該一致する番組を選別した選別番組に関する情報である選別番組情報を生成する選別番組情報生成手段と、
この選別番組情報生成手段で生成された選別番組情報に含まれている選別番組の数が一定数より多い場合には、前記視聴者に前記ジャンル情報を提示し、選別番組の数が一定数以下である場合には、前記視聴者に当該選別番組情報を提示して選択させる選別番組提示選択手段と、
この選別番組提示選択手段で前記選別番組情報を提示する際に、当該選別番組情報に含まれている選別番組の放送時刻に基づいて、前記選別番組を示すアイコン、前記選別番組の番組名、前記番組の番組記述および前記選別番組の放送予定時刻の表示色、または、この表示色の背景である背景色の少なくとも一部を変更して提示する選別番組提示変更手段と、
を備えることを特徴とする請求項３に記載のデジタル放送受信装置。
【請求項５】
前記視聴者が登録した地域名、または、前記視聴者が個別に入力した視聴者個人の関心事項情報に視聴者が視聴したい人物名が前記視聴者の個人情報に含まれている場合、当該地域名または当該人物名を含んだ前記番組情報を検索し、検索した検索結果である地域人物名包含番組情報を前記視聴者に提示して選択させる地域人物名包含番組選択手段
を備えることを特徴とする請求項３に記載のデジタル放送受信装置。
【請求項６】
デジタル放送におけるサービス情報に含まれているスケジュール情報で規定される一定期間に含まれる番組名および番組の簡単な説明である番組記述の一般名詞、人物名、地域名と、前記番組を識別するための番組識別情報とを対照できるデータベースを作成するデータベース作成手段と、
このデータベース作成手段で作成されたデータベースから、前記一般名詞、人物名、地域名を抜き出し、検索語候補として前記視聴者に提示し、検索語を決定させる検索語決定手段と、
この検索語決定手段で決定された検索語に基づいて、前記番組検索パターンの番組が決定されることを特徴とする請求項２に記載のデジタル放送受信装置。
【請求項７】
前記検索語に該当する番組の番組名および番組記述を提示する際に、当該検索語に合致した部分の有無に基づいて、検索語、番組名および番組記述の表示色または表示パターンを、他の表示色または他の表示パターンと変更して提示する検索語提示変更手段を備えたことを特徴とする請求項６に記載のデジタル放送受信装置。
【請求項８】
前記番組名および前記番組記述に含まれる一般名詞、人名、地名を抜き出して、検索語候補を作成する際に、特定の記号で区切られた文字列と、字種が変化した点で区切られた文字列との少なくとも一方の文字列を、前記一般名詞、人物名、地域名の候補とすることを特徴とする請求項６に記載のデジタル放送受信装置。
【請求項９】
前記番組名および前記番組記述に含まれる一般名詞、人物名、地域名の一覧表が送信側で生成され、この一覧表を受信して検索語候補とする、または、前記検索語決定手段で、この一覧表から検索語候補を抜き出すことを特徴とする請求項８に記載のデジタル放送受信装置。
【請求項１０】
前記過ごし方指定パターンにおいて、前記生活態様に関連する視聴動機である、気楽に視聴できる番組を望む気楽希求、役立つ情報が紹介されている番組を望む情報希求、感動できる番組を望む感動希求のいずれかを前記視聴者に選択させて、この選択結果に基づいて視聴する番組が決定されることを特徴とする請求項２に記載のデジタル放送受信装置。
【請求項１１】
前記番組推奨パターンにおいて、前記選別番組提示選択手段または前記地域人物名包含番組選択手段で選択された番組を推奨番組とし、この推奨番組が複数ある場合には、この複数の推奨番組の中で残りの放送時間が最も長い番組が選択され番組推奨パターンに組み入れられることを特徴とする請求項４または請求項５に記載のデジタル放送受信装置。
【請求項１２】
前記番組を視聴する視聴動機が、気楽に視聴できる番組を望む気楽希求、役立つ情報が紹介されている番組を望む情報希求、感動できる番組を望む感動希求である場合、これら気楽希求、情報希求および感動希求の優先順位を、曜日毎の時間帯で切り替えて、この優先順位に基づいて、番組推奨パターンを生成することを特徴とする請求項２に記載のデジタル放送受信装置。
【請求項１３】
前記番組をジャンル分けしたジャンル情報に、前記気楽希求、前記情報希求および前記感動希求の３因子の重み付けを設定した因子重み付けテーブルを備えることを特徴とする請求項１２に記載のデジタル放送受信装置。
【請求項１４】
前記因子重み付けテーブルをダウンロードすることによって更新する因子重み付けテーブル更新手段を備えることを特徴とする請求項１３に記載のデジタル放送受信装置。
【請求項１５】
地上波、衛星波、ケーブルテレビ網および通信回線網を通して送信されているデジタル放送の番組を、視聴者の個人情報が参照されて生成される所定の選択パターンで受信する装置を、
前記視聴者の個人情報および前記視聴者が視聴する番組の前記所定の選択パターンである、現在放送されているデジタル放送の番組の中から任意に番組を選別する番組選別パターンと、予め視聴者が関心のある事項を指定して、この事項に係る番組を検索する番組検索パターンと、予め視聴者が指定した生活態様に応じて番組が選定される過ごし方指定パターンと、予め登録しておいた視聴者の個人情報に基づいて番組が選定される番組推奨パターンと、前記視聴者が前記番組を視聴する視聴時刻に関連付けられたチャンネルに設定されるチャンネル設定パターンとを記録している記録装置から、前記視聴者の視聴意図に応じて、当該視聴者が視聴する番組の前記所定の選択パターンを読み出して決定する選択パターン決定手段、
この選択パターン決定手段で決定された所定の選択パターンに切り替える選択パターン切替手段、
この選択パターン切替手段で切り替えられた前記デジタル放送の番組を受信する受信手段、
として機能させることを特徴とするデジタル放送受信プログラム。
【発明の詳細な説明】
【０００１】
【発明の属する技術分野】
本発明は、地上波、衛星波、ケーブルテレビ網および通信回線網を通して送信されているデジタル放送の番組を選択して視聴するデジタル放送受信方法、デジタル放送受信装置、デジタル放送受信プログラムに関する。
【０００２】
【従来の技術】
従来のアナログ放送において、新聞のラジオテレビ欄やテレビ情報誌の番組表を活用して、受信側の視聴者が視聴する番組を選択していたのに比べ、デジタル放送では、送信側から送信されるサービス情報（ＳＩ）が用いられて、受信側で電子番組ガイド（ＥＰＧ）が表示され、受信側の視聴者は、この電子番組ガイドを参照して、視聴する番組を選択している。例えば、電子番組ガイドを参照して視聴する番組を選択するものとして、特許文献１が挙げられる。
【０００３】
【特許文献１】
特開２００２−３４４８３９号公報（特許請求の範囲、第６図）
【０００４】
【発明が解決しようとする課題】
ところで、昨今、ＢＳデジタル放送、ＣＳデジタル放送が開始され、地上デジタル放送も開始されると、受信側の視聴者が視聴できる番組数は飛躍的に増大する。また、放送（アナログ放送、デジタル放送）は、老若男女を問わず、幅広い年齢層の視聴者が、１日３時間以上も視聴する基幹メディアであるとの調査結果が出ている。しかしながら、従来の受信側の受信機では、飛躍的に増大する番組の中から、受信側の視聴者に適合した番組を視聴者が選択して視聴することが受信機の簡単な操作では実現できないという問題がある。
【０００５】
また、飛躍的に番組数が増加しても、視聴者が視聴する番組はあまり極端に増加するわけではなく、一定の時間、例えば、平日の朝（午前７時から午前８時まで）には、一定のチャンネルの番組を視聴する傾向がある。つまり、番組数の増加に伴って、視聴する番組数が増加し、これらの番組を視聴するためにチャンネルを逐次変更しても、視聴する時刻に応じて視聴する番組が決まっており、この番組を簡単に選択できる受信機が望まれていた。
【０００６】
そこで、本発明の目的は前記した従来の技術が有する課題を解消し、飛躍的に増大するデジタル放送の番組の中から、受信側の受信機をより簡単に操作することで、受信側の視聴者に適合した番組を視聴者に視聴させることができるデジタル放送受信方法、デジタル放送受信装置、デジタル放送受信プログラムを提供することにある。
【０００７】
【課題を解決するための手段】
本発明は、前記した目的を達成するため、以下に示す構成とした。
請求項１記載のデジタル放送受信方法は、地上波、衛星波、ケーブルテレビ網および通信回線網を通じて送信されているデジタル放送の番組を、視聴者の個人情報が参照されて生成される所定の選択パターンで受信するデジタル放送受信方法であって、前記番組の中から、視聴者の視聴意図に応じて、当該視聴者が視聴する番組の前記所定の選択パターンを、現在放送されているデジタル放送の番組の中から任意に番組を選別する番組選別パターンと、予め視聴者が関心のある事項を指定して、この事項に係る番組を検索する番組検索パターンと、予め視聴者が指定した生活態様に応じて番組が選定される過ごし方指定パターンと、予め記録装置に登録しておいた視聴者の個人情報に基づいて番組が選定される番組推奨パターンと、前記視聴者が前記番組を視聴する視聴時刻に関連付けられたチャンネルに設定されるチャンネル設定パターンとのいずれかに随時切り替えて、前記デジタル放送の番組を受信するものとした。
【０００８】
この方法によれば、地上波、衛星波、ケーブルテレビ網および通信回線網を通じて送信されているデジタル放送の番組が、視聴者の視聴意図に応じて、選択パターンが、番組選別パターン、番組検索パターン、過ごし方指定パターン、番組推奨パターン、チャンネル設定パターンのいずれかに切り替えられる。つまり、予め視聴者の個人情報が参照されて生成された、視聴者の嗜好に応じた番組或いは番組群となる所定の選択パターンを切り替えることで、視聴者は、デジタル放送の番組数が増大しても、放送される多数の番組の中のいずれかの番組を迷わずに視聴することができる。
【０００９】
つまり、所定の選択パターンには、番組選別パターン、番組検索パターン、過ごし方指定パターン、番組推奨パターン、チャンネル設定パターンの５種類が含まれており、これら５種類の選択パターンで、視聴者の視聴意図に応じた視聴態様を実現することができる。なお、選択パターンは、視聴者毎に設定できると共に、視聴者が視聴する時間帯によって変更させることが可能である。また、各選択パターンと視聴者の視聴態様とを対応付けると、番組選別パターンと番組検索パターンとが「目的専念視聴」と「なにげ専念視聴」とに、過ごし方指定パターンが「目的ながら視聴」に、番組推奨パターンが「なにげながら視聴」に対応する。また、チャンネル設定パターンでは、視聴者が視聴する時間帯（例えば、曜日毎の一定時間［午前７時から午前７時３０分まで］）に一定のチャンネルが選択されることになる。
【００１０】
請求項２記載のデジタル放送受信装置は、地上波、衛星波、ケーブルテレビ網および通信回線網を通して送信されているデジタル放送の番組を、視聴者の個人情報が参照されて生成される所定の選択パターンで受信するデジタル放送受信装置であって、記憶手段と、選択パターン決定手段と、選択パターン切替手段と、受信手段と、を備える構成とした。
【００１１】
かかる構成によれば、記憶手段に記憶されている所定の選択パターンである、現在放送されているデジタル放送の番組の中から任意に番組を選別する番組選別パターンと、予め視聴者が関心のある事項を指定して、この事項に係る番組を検索する番組検索パターンと、予め視聴者が指定した生活態様に応じて番組が選定される過ごし方指定パターンと、視聴者の個人情報に基づいて番組が選定される番組推奨パターンと、視聴者が番組を視聴する視聴時刻に関連付けられたチャンネルに設定されるチャンネル設定パターンが、視聴者の視聴意図に応じて選択パターン決定手段で決定される。そして、選択パターン切替手段で選択パターンが切り替えられて、受信手段で、切り替えられたデジタル放送の番組が受信される。つまり、予め視聴者の個人情報が参照されて生成された、視聴者の嗜好に応じた番組或いは番組群となる所定の選択パターンを切り替えることで、視聴者は、デジタル放送の番組数が増大しても、放送される多数の番組の中のいずれかの番組を迷わずに視聴することができる。
【００１２】
請求項３記載のデジタル放送受信装置は、請求項２に記載のデジタル放送受信装置において、前記視聴者の個人情報と、デジタル放送におけるサービス情報に含まれている、各番組の番組名、番組の簡単な説明である番組記述および番組を分類した番組分類を含んだ番組情報とを比較する比較手段を備え、前記番組選別パターンは、この比較手段で比較した比較結果に基づいて設定される構成とした。
【００１３】
かかる構成によれば、比較手段で、記憶手段に記憶されている視聴者の個人情報とデジタル放送におけるサービス情報に含まれている番組情報とが比較され、この比較手段で比較された比較結果に基づいて、番組選別パターンにおける番組が選別される。なお、比較手段で比較される番組情報は、サービス情報に含まれているものだけではなく、受信側に記憶されている番組配列情報（ＰＳＩ；Ｐｒｏｇｒａｍ  Ｓｐｅｃｉｆｉｃ  Ｉｎｆｏｒｍａｔｉｏｎ）とサービス情報とによって生成される放送番組表に記載されている情報も比較することが可能である。
【００１４】
請求項４記載のデジタル放送受信装置は、請求項３に記載のデジタル放送受信装置において、さらに、関心番組分類生成手段と、選別番組情報生成手段と、選別番組提示選択手段と、選別番組提示変更手段と、を備える構成とした。
【００１５】
かかる構成によれば、関心番組分類生成手段で、視聴者の個人情報と、当該視聴者が個別に入力した視聴者個人の関心事項情報とに基づいて、関心番組分類が生成される。この関心番組分類は、例えば、視聴者が視聴したい番組がスポーツ番組であり、さらに、スポーツの中でも野球のみを視聴したいという場合には、「スポーツ：野球」といったように表示される。続いて、選別番組情報生成手段で、サービス情報に含まれている番組情報の番組分類と関心番組分類とが比較され、一致する番組の中から、当該番組が放送中である場合には、残りの放送時間に基づき、当該番組が放送予定の場合には、放送される放送時刻に基づいて、選別番組情報が生成される。そして、選別番組情報提示選択手段で、選別番組情報が一定数より多い場合には、ジャンル情報のみが表示され、一定数以下である場合には、選別番組情報が提示され、視聴者に選択される。この選別番組情報が表示される際に、選別番組提示変更手段で、当該選別番組情報に含まれている選別番組の放送時刻に基づいて、選別番組を示す先頭のアイコン、選別番組の番組名、番組記述および選別番組の放送予定時刻の表示色、または、この表示色の背景である背景色の少なくとも一部が変更して提示される。なお、この選別番組提示変更手段で、選別番組が、現在放送中であると共に、残り放送時間が第一所定時間以上である場合、残り放送時間が第一所定時間未満である場合、または、選別番組が、現在放送中ではないと共に、放送開始まで第二所定時間以内である場合、放送開始まで第二所定時間を超える場合に、各場合を識別可能に、表示色、または、この表示色の背景である背景色の少なくとも一部が変更される。また、選別番組情報が一定数より多い場合に、複数のジャンル情報が表示され、このジャンル情報が選択された後には、このジャンル情報に係る（属する）選別番組情報が提示される。また、一定数として、人間が一度に認識できる数といわれている「７」を採用している。
【００１６】
さらに、選別番組提示変更手段で、選別番組提示選択手段によって選別番組情報が提示される際に、当該選別番組情報に含まれている選別番組が、現在放送中であると共に、残り放送時間が第一所定時間以上である場合、残り放送時間が第一所定時間未満である場合、または、選別番組が、現在放送中ではないと共に、放送開始まで第二所定時間以内である場合、放送開始まで第二所定時間を超える場合に、各場合を識別可能にするために、選別番組を示す先頭のアイコン、選別番組の番組名、番組の番組記述および選別番組の放送予定時刻の表示色、または、この表示色の背景である背景色の少なくとも一部が変更されて提示される。なお、第一所定時間および第二所定時間は、受信側で任意に設定することができるものであり、例えば、第一所定時間を３０分、第二所定時間を１時間３０分と設定されている。これによって、現在放送中の選別番組については、残りの時間を考慮して、選別番組を選択することができ、現在放送中でない選別番組については、待ち時間を考慮して、選別番組を選択することができ、視聴する番組を選択する際に、よりきめ細かな判断をすることができる。
【００１７】
請求項５記載のデジタル放送受信装置は、請求項３に記載のデジタル放送受信装置において、さらに、地域人物名包含番組選択手段を備える構成とした。
【００１８】
かかる構成によれば、地域人物名包含番組選択手段で、視聴者の個人情報に地域名が含まれている場合や、視聴者個人の関心事項情報に人物名が含まれている場合には、これらの地域名や人物名が含まれている番組情報が地域人物名包含番組情報として検索し、視聴者に提示し、選択される。
【００１９】
請求項６記載のデジタル放送受信装置は、請求項２に記載のデジタル放送受信装置において、さらに、データベース作成手段と、検索語決定手段と、を備える構成とした。
【００２０】
かかる構成によれば、データベース作成手段で、サービス情報に含まれているスケジュール情報で規定される一定期間の番組名および番組記述の一般名詞、人物名、地域名と番組を識別するための番組識別情報とを対照できるデータベースが作成される。そして、検索語決定手段で、作成されたデータベースから一般名詞、人物名、地域名が抜き出され、検索語候補として視聴者に提示する。その後、選択された検索語に基づいて、番組検索パターンが決定される。
【００２１】
請求項７記載のデジタル放送受信装置は、請求項６に記載のデジタル放送受信装置において、さらに、検索語提示変更手段を備える構成とした。
【００２２】
かかる構成によれば、検索語によってデータベースが検索され、この検索語に該当する番組の番組名、番組記述が提示される際に、検索語提示変更手段で、当該検索語と番組名、番組記述とに合致した部分がある場合、当該検索語に合致した部分の番組名、番組記述の表示色が他の表示色とは変更されて提示されると共に、当該検索語と番組名、番組記述とに合致した部分がない場合、当該検索語だけの表示色または表示パターンが他の表示色または他の表示パターンと変更されて提示される。これによって、番組検索パターンで、検索された番組が、どのような点で視聴者の望みに合致しているのかが一目でわかると共に、複数の番組が検索語と合致している場合、複数の番組の中から最終的に番組を決定する際の的確な判断を下すことができる。
【００２３】
請求項８記載のデジタル放送受信装置は、請求項６に記載のデジタル放送受信装置において、前記番組名および前記番組記述に含まれる一般名詞、人名、地名を抜き出して、検索語候補を作成する際に、特定の記号で区切られた文字列と、字種が変化した点で区切られた文字列との少なくとも一方の文字列を、前記一般名詞、人物名、地域名の候補とする構成とした。
【００２４】
かかる構成によれば、検索語候補を作成する際に、特定の記号で区切られた文字列と、字種が変化した点で区切られた文字列との少なくとも一方が一般名詞、人物名、地域名の候補とみなされ、検索語候補を作成する時間が減少できる。特定の記号とは、例えば、《》、「」、（）、〈〉、〜、−、▼、▽、！、・、スペース、句読点等が挙げられる。
【００２５】
請求項９記載のデジタル放送受信装置は、請求項８に記載のデジタル放送受信装置において、前記番組名および前記番組記述に含まれる一般名詞、人物名、地域名の一覧表が送信側で生成され、この一覧表を受信して検索語候補とする、または、前記検索語決定手段で、この一覧表から検索語候補を抜き出す構成とした。
【００２６】
かかる構成によれば、送信側で、番組名および番組記述に含まれている一般名詞、人物名、地域名の一覧表が生成される。そして、この一覧表が受信側で受信され検索後候補とする、または、検索語決定手段でこの一覧表から検索語候補が抜き出される。
【００２７】
請求項１０記載のデジタル放送受信装置は、請求項２に記載のデジタル放送受信装置において、前記過ごし方指定パターンにおいて、前記生活態様に関連する視聴動機である、気楽に視聴できる番組を望む気楽希求、役立つ情報が紹介されている番組を望む情報希求、感動できる番組を望む感動希求のいずれかを前記視聴者に選択させて、この選択結果に基づいて視聴する番組が決定される構成とした。
【００２８】
かかる構成によれば、視聴者の視聴動機である気楽希求、情報希求、感動希求に応じて、視聴者の所望する生活態様「過ごし方」が指定され、この「過ごし方」の選択結果により、視聴する番組が選定される。この場合、視聴する番組は、例えば、記憶手段に記憶されている視聴者毎の個人情報に基づいて、希求する因子に応じた番組が選定される。
【００２９】
請求項１１記載のデジタル放送受信装置は、請求項４または請求項５に記載のデジタル放送受信装置において、前記番組推奨パターンにおいて、前記選別番組提示選択手段または前記地域人物名包含番組選択手段で選択された番組を推奨番組とし、この推奨番組が複数ある場合には、この複数の推奨番組の中で残りの放送時間が最も長い番組が選択され番組推奨パターンに組み入れられる構成とした。
【００３０】
かかる構成によれば、番組推奨パターンは、選別番組提示選択手段または地域人物名包含番組選択手段で選択された番組を推奨番組として構成されるものであり、この推奨番組が複数ある場合には、この複数の推奨番組の中で残りの放送時間が最も長い番組が番組推奨パターンに組み入れられる。また、推奨番組がさらに複数ある場合には、予め設定された番組分類の順位表、送信側から送信される番組の順位表等が参照され、番組推奨パターンが生成される。
【００３１】
請求項１２記載のデジタル放送受信装置は、請求項２に記載のデジタル放送受信装置において、前記番組を視聴する視聴動機が、気楽に視聴できる番組を望む気楽希求、役立つ情報が紹介されている番組を望む情報希求、感動できる番組を望む感動希求である場合、これら気楽希求、情報希求および感動希求の優先順位を、曜日毎の時間帯で切り替えて、この優先順位に基づいて、番組推奨パターンを生成する構成とした。
【００３２】
かかる構成によれば、気楽希求、情報希求、感動希求の優先順位が曜日毎の時間帯で切り替えられ、この優先順位に基づいて、番組推奨パターンが生成される。例えば、木曜日の午後１０時から午後１１時までは、感動希求の優先順位が最も高く設定されており、午後１０時から午後１１時までの１時間は、感動希求の高いドキュメンタリーやドラマ等の番組が番組推奨パターンの中の番組として組み入れられることになる。或いは、一日の中で、午前６時から午後１２時までは情報希求、気楽希求の優先順位を、午後１２時から午後１８時までは気楽希求の優先順位を、午後１８時から翌日の午前６時までは感動希求の優先順位を高くしておいて、この優先順位に基づいて、番組推奨パターンの中に含める番組を決定する。これによって、視聴者の生活時間に合わせた番組を推奨することができる。
【００３３】
請求項１３記載のデジタル放送受信装置は、請求項１２に記載のデジタル放送受信装置において、前記番組をジャンル分けしたジャンル情報に、前記気楽希求、前記情報希求および前記感動希求の３因子の重み付けを設定した因子重み付けテーブルを備える構成とした。
【００３４】
かかる構成によれば、ジャンル情報の各ジャンルに、気楽希求、情報希求および感動希求の３因子の重み付けが設定された因子重み付けテーブルによって、各ジャンル、例えば、ジャンル「ニュース」の場合、情報希求の重み（重み付けの重み）が大きくなり、ジャンル「ドラマ」の場合、気楽希求および感動希求の重み（重み付けの重み）が大きくなる。これによって、デジタル放送のＳＩ（サービスインフォメーション）で放送されている各番組のジャンル分けを利用して、各番組の気楽、情報および感動の３因子の傾向を簡単に求めることができる。
【００３５】
請求項１４記載のデジタル放送受信装置は、請求項１３に記載のデジタル放送受信装置において、さらに、因子重み付けテーブル更新手段を備える構成とした。
【００３６】
かかる構成によれば、因子重み付けテーブル更新手段で因子重み付けテーブルがダウンロードされることによって更新される。これによって、デジタル放送のＳＩの運用について見直しがあった場合に即座に（的確に）対応することができる。
【００３７】
請求項１５記載のデジタル放送受信プログラムは、地上波、衛星波、ケーブルテレビ網および通信回線網を通して送信されているデジタル放送の番組を、視聴者の個人情報が参照されて生成される所定の選択パターンで受信する装置を、以下に示す手段として機能させることを特徴とする。当該装置を機能させる手段は、選択パターン決定手段、選択パターン切替手段、受信手段、である。
【００３８】
かかる構成によれば、記憶装置に記憶されている所定の選択パターンである、現在放送されているデジタル放送の番組の中から任意に番組を選別する番組選別パターンと、予め視聴者が関心のある事項を指定して、この事項に係る番組を検索する番組検索パターンと、予め視聴者が指定した生活態様に応じて番組が選定される過ごし方指定パターンと、予め登録しておいた視聴者の個人情報に基づいて番組が選定される番組推奨パターンと、前記視聴者が前記番組を視聴する視聴時刻に関連付けられたチャンネルに設定されるチャンネル設定パターンとが、視聴者の視聴意図に応じて選択パターン決定手段で決定される。そして、選択パターン切替手段で選択パターンが切り替えられて、受信手段で、切り替えられたデジタル放送の番組が受信される。つまり、予め視聴者の個人情報が参照されて生成された、視聴者の嗜好に応じた番組或いは番組群となる所定の選択パターンを切り替えることで、視聴者は、デジタル放送の番組数が増大しても、放送される多数の番組中のいずれかの番組を迷わずに視聴することができる。
【００３９】
【発明の実施の形態】
以下、本発明の一実施の形態について、図面を参照して詳細に説明する。
この実施の形態の説明では、まず、デジタル放送受信装置の構成およびこのデジタル放送受信装置全体の動作、後記する視聴者個人情報の処理手順、後記する番組配列情報の受信処理を説明し、続いて、後記する所定の選択パターン毎の動作を説明し、これら選択パターンによってユーザーが番組を選択する概略について説明する。そして、表示画面に表示されるサンプル画面を図示したものを参照して、実際の動作例を説明し、最後に実際に試作したデジタル放送受信装置および評価実験について説明する。
【００４０】
（デジタル放送受信装置の構成）
図１にデジタル放送受信装置のブロック図を示す。この図１に示すように、デジタル放送受信装置１は、主制御部３と、記憶部５と、受信部７と、入力部９と、表示出力部１１とを備えている。
このデジタル放送受信装置１は、デジタル放送されている多数の番組の中から、視聴者が視聴したい番組（視聴したいと推測される番組）を、所定の選択パターンにして提示し、視聴者が視聴意図（視聴動機）に応じて当該選択パターンを選んで、選んだ選択パターンに含まれている番組を視聴可能にするものである。
【００４１】
また、このデジタル放送受信装置１では、図２に示すように、視聴者が番組を選択する方法（所定の選択パターン）が、視聴の目的や視聴の態度に関連して、（ａ）ＣＨ設定と、（ｂ）番組推奨と、（ｃ）過ごし方指定と、（ｄ）番組選別と、（ｅ）番組検索との５種類に大別される。
【００４２】
（ａ）「ＣＨ設定」（チャンネル設定パターン）は、視聴者が番組を視聴する視聴時刻に関連付けられたチャンネルに予め設定され、このチャンネルで放送されている番組を視聴させるものである。つまり、この「ＣＨ設定」（チャンネル設定パターン）は、特定の曜日、時間帯にチャンネル（または番組のシリーズもの［番組シリーズ］）が設定され、この設定に基づいて、番組を視聴させるものである。つまり、この「ＣＨ設定」（チャンネル設定パターン）は、例えば、月曜日から金曜日までの７時から７時３０分までについて、ＣＨは「１」、木曜日の２０時から２１時までについて、ＣＨは「８」、土曜日の２１時から２３時までについて、ＣＨは「１０」が設定されている場合、この設定した時刻に、デジタル放送受信装置１を起動させた場合（電源をＯＮにした場合）、各「ＣＨ」（チャンネル）（この場合、火曜日の７時１０分ならＣＨ１が、土曜日の２２時ならＣＨ１０）が自動的に選局され、このチャンネルで放送されている番組を視聴者に視聴させるものである。
【００４３】
（ｂ）「番組推奨」（番組推奨パターン）は、推奨された適当な番組を視聴させるものである（特に視聴する番組を選択しないが、視聴者の嗜好に適合していることが望ましい）。
【００４４】
（ｃ）「過ごし方指定」（過ごし方指定パターン）は、視聴者の意図する過ごし方に適合した番組があれば、当該番組を視聴させるものである。
【００４５】
（ｄ）「番組選別」（番組選別パターン）は、放送されている番組の中から、視聴者の好みの番組を選択して視聴させるものである。また、この「番組選別」（番組選別パターン）は、放送される予定の番組の中から、視聴者の好みの番組を提示するものである。
【００４６】
（ｅ）「番組検索」（番組検索パターン）は、視聴者の関心のある事項に関連する番組が放送されていれば、当該番組を検索して、その番組を視聴させるものである。
【００４７】
これらの５種類（ａ）〜（ｅ）の選択パターン（番組の視聴方法）が、視聴者の視聴意図に応じて、図２中の矢印の示す方向に適宜変更され、これから詳細に説明する各部の連携した処理によって実現される。図１に戻って説明を続ける。
【００４８】
主制御部３は、デジタル放送受信装置１の制御を司るもので、選択パターン提示手段３ａと、選択パターン決定手段３ｂと、選択パターン切替手段３ｃと、比較手段３ｄと、関心番組分類生成手段３ｅと、選別番組情報生成手段３ｆと、選別番組提示選択手段３ｇと、選別番組提示変更手段３ｈと、地域人物名包含番組選択手段３ｉと、データベース作成手段３ｊと、検索語決定手段３ｋと、検索語提示変更手段３ｌとを備えている。なお、これら３ａ〜３ｌは、主制御部３に展開するプログラムである。
【００４９】
選択パターン提示手段３ａは、チャンネル設定パターン、番組推奨パターン、過ごし方指定パターン、番組選別パターン、番組検索パターンの５種類の番組選択（所定の選択パターン）を、入力部９（例えば、デジタル放送受信装置１に付属しているリモコン）の操作で選択可能な、表示出力部１１の表示画面上のメッセージボックス（クリックボタン）として視聴者に提示するものである。
【００５０】
選択パターン決定手段３ｂは、選択パターン提示手段３ａで表示出力部１１の表示画面上に提示されている５種類の番組選択から視聴者が入力部９（例えば、デジタル放送受信装置１に付属しているリモコン）の操作で入力した選択パターンに関する制御信号に基づいて、選択パターンを決定するものである。
【００５１】
選択パターン切替手段３ｃは、選択パターン決定手段３ｂで決定された選択パターンに切り替えるものである。なお、この選択パターン切替手段３ｃは、選択パターン決定手段３ｂで選択パターンが決定されない場合、或いは、デジタル放送受信装置１を起動させた直後は、自動的に番組推奨パターンに切り替わるように構成されており、一旦、チャンネル設定パターンの詳細が設定された後は、このチャンネル設定パターンがデフォルト値（初期値）となるように選択パターンを切り替えるものである。つまり、チャンネル設定パターンの詳細が設定された後は、この選択パターン切替手段３ｃによって、当該デジタル放送受信装置１を起動させた時刻に応じて、当該チャンネル設定パターンで設定されているチャンネル（ＣＨ）が選局され、このチャンネルの番組が視聴者に視聴されることになる。
【００５２】
比較手段３ｄは、記憶部５に記憶されている視聴者個人情報と、受信部７で受信した送信側から送信されたデジタル放送におけるサービス情報に含まれている番組情報とを比較するものである。番組情報には、各番組の番組名と、番組の簡単な説明である番組記述と、番組を分類した番組分類とが含まれている。この比較手段３ｄで比較された比較結果に基づいて、番組選別パターンを構成する番組が選定される（設定される）。
【００５３】
関心番組分類生成手段３ｅは、記憶部５に記憶されている視聴者個人情報と、入力部９を介して入力された視聴者個人が現在関心のある事柄（関心事項情報）とに基づいて、視聴者が関心を寄せる番組の分類である関心番組分類を生成するものである。
【００５４】
選別番組情報生成手段３ｆは、関心番組分類生成手段３ｅで生成された関心番組分類と、デジタル放送におけるサービス情報に含まれている番組情報の中の番組分類とを比較して、これらの関心番組分類と番組分類とが一致する番組を検出すると共に、サービス情報に基づいて、現在、受信部７で受信している（放送されている）番組の残り時間、または、放送される番組の放送時刻を算出する。さらに、この選別番組情報生成手段３ｆは、サービス情報に含まれている、番組をジャンル分けしたジャンル情報と、関心番組分類と、放送番組の残り時間または放送時刻とに基づいて、関心番組分類と番組分類とが一致する番組を選別した選別番組に関する情報である選別番組情報を生成するものである。
【００５５】
選別番組提示選択手段３ｇは、選別番組情報生成手段３ｆで生成された選別番組情報に含まれている選別番組数が一定数より多い場合には、視聴者に対し、表示出力部１１を介して、ジャンル情報を提示すると共に、選別番組情報に含まれている選別番組数が一定数以下である場合には、視聴者に対し、表示出力部１１を介して、当該選別番組情報を提示し、選択させるものである。
【００５６】
選別番組提示変更手段３ｈは、選別番組提示選択手段３ｇで選択された選別番組情報を表示出力部１１に提示する（表示する）際の提示の仕方を変更するものである。例えば、選別番組情報に含まれている選別番組の中で、現在放送中の選別番組で残り時間が一定時間（任意時間であり、特許請求の範囲に記載した第一所定時間に相当）以上のもの、現在放送中の選別番組の中で当該一定時間未満のもの、近く放送予定の選別番組で一定時間（任意時間であり、特許請求の範囲に記載した第二所定時間に相当）以内に放送が開始されるもの、近く放送予定の選別番組で当該一定時間以上先に放送が開始されるものについて、当該選別番組の番組名の表示文字の大きさや、表示色または背景色が、視聴者に一目で区別できるように、この選別番組提示変更手段３ｈによって変更される。
【００５７】
地域人物名包含番組選択手段３ｉは、記憶部５に記憶されている視聴者個人情報に地域名が含まれている（登録されている）場合、または、入力部９を介して入力された視聴者個人が現在関心のある事柄（関心事項情報）に人物名が含まれている場合、サービス情報の中から、当該地域名または当該人物名を含んだ番組情報を検索し、検索した結果を地域人物名包含番組情報として、表示出力部１１を介して視聴者に提示し選択させるものである。
【００５８】
データベース作成手段３ｊは、サービス情報に含まれているスケジュール情報で規定される一定期間（例えば、１日間〜１週間）に含まれている番組の番組名および番組記述中に記述されている一般名詞、人物名、地域名と、番組を識別するための番組識別情報（イベントＩＤ、サービスＩＤ、ネットワークＩＤ）とを対照できるデータベースを作成するものである。
【００５９】
検索語決定手段３ｋは、データベース作成手段３ｊで作成されたデータベースから一般名詞、人物名、地域名を抜き出して、番組を検索する際に用いる検索語の候補として、視聴者に対し、表示出力部１１を介して提示し、検索語を決定させるものである。
【００６０】
検索語提示変更手段３ｌは、検索語決定手段３ｋによって決定された検索語で検索した際に、放送予定データベース（後記する）内を検索した際に、この検索語と放送予定データベース内に含まれている番組名、番組記述とに一致する（合致する）部分がある場合、当該検索語に合致した部分の番組名、番組記述の表示色または背景色を他の表示色とは変更して提示すると共に、当該検索語と番組名、番組記述とに合致した部分がない場合、当該検索語だけの表示色若しくは背景色または表示パターンを他の表示色とは変更して提示するものである。
【００６１】
記憶部５は、一般的なハードディスク等によって構成され、送信側から送信されたサービス情報と、予め記憶されている番組配列情報とからなるサービス情報・番組配列情報（放送予定データベース）と、チャンネル設定パターン、番組推奨パターン、過ごし方指定パターン、番組選別パターン、番組検索パターンを含む選択パターンと、視聴者個人の嗜好、年齢、性別、職業等に関する視聴者個人情報（ユーザープロファイルデータベース）と、気楽因子、情報因子および感動因子に関して番組のジャンル毎に重み付けを設定した因子重み付けテーブルとを記憶するものである。なお、因子重み付けテーブルは、主制御部３の因子重み付けテーブル更新手段（図示せず）によって、ＳＩの運用の見直し等により、これに対応するように自動的に更新されるものである。
【００６２】
受信部７は、地上波、衛星波、ケーブルテレビ網、通信回線網を介して送信されているデジタル放送における番組を受信するものである。
入力部９は、キーボード、マウス、リモコン等によって構成されるものであり、選択パターンの決定や視聴者個人の視聴者個人情報、関心事項情報等を入力する際に利用するものである。
【００６３】
表示出力部１１は、ＣＲＴディスプレイ、プラズマディスプレイや液晶と、音声出力装置（スピーカ）等によって構成されるものであり、番組の表示や選択パターンの表示、番組の音声出力を行うものである。なお、この表示出力部１１に表示される選択パターン等の情報を総括して、番組ナビゲーション情報と呼称することにする。
【００６４】
このデジタル放送受信装置１によれば、記憶部５に記憶されている所定の選択パターンが、視聴者の視聴意図に応じて選択パターン決定手段３ｂで決定される。そして、選択パターン切替手段３ｃで選択パターンが切り替えられて、受信部７で、切り替えられたデジタル放送の番組が受信される。このため、飛躍的に増大するデジタル放送の番組の中から、当該装置１に記憶されている選択パターンを選択するといった簡単な操作によって、受信側の視聴者に適合した番組を視聴者は視聴することができる。
【００６５】
（デジタル放送受信装置の全体動作）
次に、図３に示すシーケンシャルチャートを参照して、デジタル放送受信装置１の全体動作を説明する（適宜、図１参照）。
まず、視聴者（ユーザー）がデジタル放送受信装置１の電源をオンすると（Ａ１）、デジタル放送受信装置１の初期設定に基づいて、デジタル受信装置１が起動する（Ｂ１）。この初期設定は、主制御部３の選択パターン切替手段３ｃで保持される選択パターン（番組ナビゲーション情報）によるものであり、デジタル放送受信装置１は、この選択パターン切替手段３ｃで保持される選択パターン（番組ナビゲーション情報）を、ユーザープロファイルデータベース（視聴者個人情報）と放送予定データベース（サービス情報・番組配列情報）とを参照して生成して、表示出力部１１に表示する（Ｂ２）。
【００６６】
すると、ユーザー（視聴者）は、表示出力部１１の表示画面に表示された情報を認識し（Ａ２）、入力部９を利用して、選択パターンの選択操作を行い（Ａ３）、視聴する番組を決定するまで（Ａ４、Ｎｏ）、Ａ２〜Ａ４の選択操作を繰り返す。その後、デジタル放送受信装置１は、ユーザー（視聴者）が選択した内容（選択パターン）を取得し（Ｂ３）、視聴する番組が決定されるまで（Ｂ４、Ｎｏ）、Ｂ２〜Ｂ４の動作が繰り返される。
【００６７】
ユーザー（視聴者）によって、視聴する番組が決定される（Ａ４、Ｙｅｓ）と、デジタル放送受信装置１で受信される番組が決定され（Ｂ４、Ｙｅｓ）、当該番組が受信され、表示出力部１１に表示され（Ｂ５）、ユーザー（視聴者）は、表示された番組を視聴する（Ａ５）。
【００６８】
（視聴者個人情報の処理手順について）
次に、図４に示すフローチャートを参照して、ユーザープロファイルデータベース（視聴者個人情報）の処理手順について説明する（適宜、図１参照）。
まず、デジタル放送受信装置１に付属しているＩＣカード等のセキュリティモジュール（図示せず）が、当該装置１に挿入され、このセキュリティモジュールに記憶されているユーザーＩＤによって、ユーザーの識別が行われる（Ｓ１）。このとき、顔画像による認識や声紋等の個人識別技術を用いてユーザーの識別を行ってもよい。そして、入力部９を利用して、ユーザー（視聴者）の性別、年齢層（年齢）、地域（地域名）が入力される（Ｓ２）。
【００６９】
続いて、デジタル放送受信装置１の主制御部３の関心番組分類生成手段３ｅによって、関心番組分類（領域１）が設定される（Ｓ３）。さらに、ユーザー（視聴者）が、入力部９を利用して、関心事項情報（関心分野：領域２）を入力する（Ｓ４）。これら関心番組分類と関心事項情報とをあわせてユーザー関心領域が設定される（Ｓ５）。Ｓ１〜Ｓ５の処理で入力されたユーザーＩＤ、性別、年齢層（年齢）、地域（地域名）、関心分野（関心事項情報）、ユーザー関心領域が１つのユーザープロファイルに記述され、このユーザープロファイルが複数集められユーザープロファイルデータベースが作成される（Ｓ６）。
なお、これら視聴者個人情報の入力はデジタル放送受信装置１の購入時に行われる。
【００７０】
（サービス情報・番組配列情報の受信処理について）
次に、図５に示すフローチャートを参照して、サービス情報・番組配列情報（放送予定データベース）の受信処理について説明する（適宜、図１参照）。
まず、デジタル放送受信装置１の受信部７で受信可能なネットワーク（放送伝送路：ＢＳ、ＣＳ、地上のデジタル放送など）が設定される（Ｓ１１）。続いて、各ネットワーク（放送伝送路）のＮＩＴ（Ｎｅｔｗｏｒｋ  Ｉｎｆｏｒｍａｔｉｏｎ  Ｔａｂｌｅ）からネットワーク内の全編成チャンネル、局名が取得される（Ｓ１２）。さらに、各編成チャンネルのＳＤＴ（Ｓｅｒｖｉｃｅ  Ｄｅｓｃｒｉｐｔｉｏｎ  Ｔａｂｌｅ）から編成チャンネル名、事業者名（放送事業者名）が取得される（Ｓ１３）。各編成チャンネルのＥＩＴ（Ｅｖｅｎｔ  Ｉｎｆｏｒｍａｔｉｏｎ  Ｔａｂｌｅ）から所定期間（一定期間）内の番組の放送日時、番組名、番組記述、番組分類（ジャンル）のデータが取得される（Ｓ１４）。
【００７１】
その後、放送予定データベース（サービス情報・番組配列情報）が記憶部５に作成される（Ｓ１５）。この放送予定データベースには、図５中下方に示したように、放送予定として、スタート日時（放送開始時刻）、継続時間（放送時間）が、番組内容として、番組名、番組記述、番組分類が、番組ＩＤとして、イベントＩＤ、サービスＩＤ、ネットワークＩＤが記述されている。
【００７２】
（チャネル設定パターン）
選択パターン決定手段３ｂで決定された選択パターン（番組の選択方法）がチャンネル設定パターンであった場合および選択パターン切替手段３ｃで自動的に切り替えられた選択パターン（番組の選択方法）がチャンネル設定パターンであった場合、このチャンネル設定パターンに設定されている週、曜日、日付の特定の時間帯に、デジタル放送受信装置１を起動直後（電源オン）には、このチャンネル設定パターンで設定されているチャンネル（局）が選択され、このチャンネルで放送されている番組がユーザー（視聴者）に視聴される。
【００７３】
ここで、図６に示すフローチャートを参照して、チャンネル設定パターンの設定の仕方を詳細に説明する（適宜、図１参照）
視聴者個人情報の処理手順のところで説明したように、まず、デジタル放送受信装置１に付属しているＩＣカード等のセキュリティモジュール（図示せず）が、当該装置１に挿入され、このセキュリティモジュールに記憶されているユーザーＩＤによって、ユーザーの識別が行われる（Ｓ２１）。
【００７４】
次に、入力部９を介して、特定の時間帯の指定がなされる（Ｓ２２）。特定の時間帯の指定には、全日・曜日指定と、開始・終了時刻とが含まれている。また、サービス情報・番組配列情報の受信処理のところで説明したように、デジタル放送受信装置１の受信部７で受信可能なネットワーク（放送伝送路：ＢＳ、ＣＳ、地上のデジタル放送など）が設定され（Ｓ２３）、さらに、各編成チャンネルのＳＤＴ（Ｓｅｒｖｉｃｅ  Ｄｅｓｃｒｉｐｔｉｏｎ  Ｔａｂｌｅ）に記載されている編成チャンネル名、事業者名（放送事業者名）が設定される（Ｓ２４）。
【００７５】
なお、シリーズ番組を設定する場合には、この番組のＩＤ（シリーズ番組ＩＤ）が設定される（Ｓ２５）。そして、Ｓ２４またはＳ２５で設定された編成チャンネル名、事業者名（放送事業者名）またはシリーズ番組ＩＤがユーザープロファイルプロファイルデータベースに記録される（Ｓ２６）。
【００７６】
このチャンネル設定パターンによれば、特定の時間帯にデジタル放送受信装置１を起動させた場合には、いつも見馴れた特定のチャンネルの番組がユーザー（視聴者）に視聴されることになる。このチャンネル設定パターンをユーザー（視聴者）が設定することにより、デジタル放送受信装置１を“時計代わり”にして、視聴することができ、例えば、出勤、登校前のユーザーにとって、身支度しながら（朝食を取りながら）、ながら視聴する場合、利便性の高いものになる。また、このチャンネル設定パターンに、毎日または毎週、定期的に放送されているシリーズ番組を設定することにより、見逃すことなく（見そこなうことなく）当該シリーズ番組を視聴することができる。
【００７７】
（番組推奨パターンの動作）
選択パターン決定手段３ｂで決定された選択パターン（番組の選択方法）が番組推奨パターンであった場合には、視聴者には明確な目的がなく「なにげなく」番組を視聴する場合に適した番組を、デジタル放送受信装置１がユーザー（視聴者）に推奨して、この推奨した番組がユーザー（視聴者）に視聴される。このデジタル放送受信装置１がユーザー（視聴者）に番組を推奨する場合に、この推奨する番組に対応する希求因子（気楽、情報、感動の３因子であり、記憶部５に記憶されている因子重み付けテーブル、図８参照）をつけ（重み付けをし）、この希求因子の優先順位を曜日毎の時間帯で切り替えて、これに基づいて、番組が推奨される。
【００７８】
この図８に示すように、因子重み付けテーブルは、各番組がジャンル大分類、ジャンル中分類に分類され、これら各番組に希求因子の重み付けが設定されているものである。ジャンル大分類は、識別子“０”の「ニュース／報道」、識別子“１”の「スポーツ」、識別子２の「情報／ワイドショー」の３個の大分類に分類されている。
【００７９】
大分類「ニュース／報道」では、ジャンル中分類は、識別子“０”の「定時総合」、識別子“１”の「天気」、識別子“２”の「特集ドキュメント」、識別子“３”の「政治国会」、識別子“４”の「経済市況」、識別子“５”の「海外国際」、識別子“６”の「解説」、識別子“７”の「討論会談」、識別子“８”の「報道特番」、識別子“９”の「ローカル地域」、識別子“Ａ”の「交通」、識別子“Ｆ”の「その他」の中分類に分類されている。
【００８０】
大分類「スポーツ」では、ジャンル中分類は、識別子“０”の「スポーツニュース」、識別子“１”の「野球」、識別子“２”の「サッカー」、識別子“３”の「ゴルフ」、識別子“４”の「その他の球技」、識別子“５”の「相撲格闘技」、識別子“６”の「オリンピック国際大会」、識別子“７”の「マラソン陸上水泳」、識別子“８”の「モータースポーツ」、識別子“９”の「マリンウインタースポーツ」、識別子“Ａ”の「競馬公営競技」、識別子“Ｆ”の「その他」の中分類に分類されている。
【００８１】
大分類「情報／ワイドショー」では、ジャンル中分類は、識別子“０”の「芸能ワイドショー」、識別子“１”の「ファッション」、識別子“２”の「暮らし住まい」、識別子“３”の「健康医療」、識別子“４”の「ショッピング通販」、識別子“５”の「グルメ料理」、識別子“６”の「イベント」、識別子“７”の「番組紹介のお知らせ」、識別子“Ｆ”の「その他」の中分類に分類されている。
【００８２】
また、時間帯に応じて、希求因子の重み付けが変化するように、３因子のそれぞれに乗算する係数を設定している（図９、以下、３因子係数表という）。この図９に示すように、時刻０−６（午前０時から午前６時まで）では、気楽希求（気楽因子）に０．２、情報希求（情報因子）に０．８の係数が設定されており、時刻６−１２（午前６時から午後１２時まで）では、気楽希求（気楽因子）に０．２、情報希求（情報因子）に０．８の係数が設定されている。また、時刻１２−１８（午後１２時から午後６時まで）では、気楽希求（気楽因子）に０．４、情報希求（情報因子）に０．３、感動希求（感動因子）に０．３の係数が設定されており、時刻１８−２４（午後６時から午前２４時［午前０時］まで）では、気楽希求（気楽因子）に０．４、情報希求（情報因子）に０．２、感動希求（感動因子）に０．４の係数が設定されている。
【００８３】
ここで、図７に示すフローチャートを参照して、番組推奨パターン選択時の動作をより詳細に説明する（適宜、図１参照）。
まず、ユーザープロファイルデータベースおよび放送予定データベースが参照され、現在放送中の番組、放送予定時刻が間近な番組の中で、ユーザー（視聴者）に好まれそうな番組が抽出される（Ｓ３１）。続いて、抽出された各番組の３因子の重み付けが図８に示した因子重み付けテーブルを参照してなされる（Ｓ３２）。さらに、この３因子の重み付けの係数処理が、現在時刻と図９に示した３因子係数表とに基づいてなされる（Ｓ３３）。
【００８４】
そして、抽出された番組が１個であるかどうかが判断される（Ｓ３４）。抽出された番組が１個であると判断された場合（Ｓ３４、Ｙｅｓ）には、当該１個の番組が視聴する番組に決定される（Ｓ３５）。なお、このＳ３５は、デジタル放送受信装置１が起動してから一定時間経過した後に、自動的に抽出された番組が推奨番組として決定されるタイムアウト処理である。
【００８５】
抽出された番組が１個であると判断されなかった場合（Ｓ３４、Ｎｏ）、つまり、抽出された番組が複数ある場合には、放送予定データベースが参照され、現在放送中で終了までの残り時間が最長の番組が選択される（Ｓ３６）。さらに、現在放送中で終了までの残り時間が最長の番組が１個であるかどうかが判断され（Ｓ３７）、１個であると判断された場合（Ｓ３７、Ｙｅｓ）には、当該残り時間が最長の番組に決定され、１個であると判断されなかった場合（Ｓ３７、Ｎｏ）には、現在時刻（現在の時間帯）の優先因子の高い順に選択される（Ｓ３８）。
【００８６】
ここで、Ｓ３２における「３因子の重み付け」およびＳ３３における「３因子の重み付けの係数処理」について、より詳細に説明する。Ｓ３２において、図８に示したジャンル毎の気楽、情報、感動の３因子で示される番組の傾向が求められ、どの因子の影響が大きい番組であるかが判断される。なお、１個の番組に複数のジャンルが指定されている場合には、算術平均で３因子の重みが求められる。そして、Ｓ３３において、現在時刻における３因子の係数が図９に示した時刻毎の３因子の係数から求められて、３因子の重みにそれぞれを乗算した総和、つまり、時間帯に応じて重み付けした番組の傾向を求め、現在放送中の番組の中で最大の番組が求められる。最大の番組が複数ある場合には、残り時間が最長のものが求められる。さらに、残り時間が同一の番組がある場合には、３因子の係数の中で最大の係数（例えば、図９中、午前６時から午後１２まででは、情報因子の係数が最大となる。または、午後１２時から午後１８時まででは、気楽因子の係数が最大となる）に該当する番組が求められる。
【００８７】
この番組推奨パターンの動作によれば、番組推奨パターンにおける番組は、選別番組提示選択手段３ｇまたは地域人物名包含番組選択手段３ｉで選択された番組で構成されるものであり、この推奨番組に希求因子の重み付けがなされ、さらに、時間帯（現在時刻）に応じて、希求因子の３因子の重み付けに係数が乗算され（３因子の重み付け係数処理）、推奨番組が決定される。また、複数ある場合には、この複数の推奨番組の中で放送の残り時間が最も長い番組が番組推奨パターンに組み入れられる。さらに、放送の残り時間が最も長い番組が複数ある場合には、予め設定された希求因子の高い順（優先因子の高い順）に番組が選択され、番組推奨パターンが生成される。このため、ユーザー（視聴者）は、自分の嗜好にフィットした（適合した）番組を自動的に視聴することができる。
【００８８】
（過ごし方指定パターンの動作）
選択パターン決定手段３ｂで決定された選択パターン（番組の選択方法）が過ごし方指定パターンであった場合には、放送されている番組の視聴を通じて、番組が放送されている時間をどのように過ごしたいかといった視聴動機に見合った番組を、デジタル放送受信装置１がユーザー（視聴者）に推奨して、ユーザー（視聴者）が推奨された番組の中から視聴したい番組が選択される。
【００８９】
ここで、図１０に示すフローチャートを参照して、過ごし方指定パターン選択時の動作をより詳細に説明する（適宜、図１参照）。
まず、過ごし方指定パターンが選択された場合には、気楽さを希求する「気楽希求」、役に立つ情報を希求する「情報希求」、感動、共感を希求する「感動希求」がクリックボタンとして表示出力部１１の表示画面に表示され、ユーザー（視聴者）がいずれかを選択して視聴動機が設定される（Ｓ４１）。ここで、デジタル放送受信装置１固有に設定するか、あるいは、記憶部５に記憶されている因子重み付けテーブル、または、データ放送またはダウンロードで受信した３因子と番組分類との関係を定義した因子重み付けテーブルが参照されて関連する番組分野（関連領域）が設定される（Ｓ４２）。
【００９０】
そして、視聴動機に該当する番組分野の領域がユーザープロファイルデータベース（視聴者個人情報）が参照されて限定され（Ｓ４３）、さらに、放送予定データベースが参照されて番組が選別される（Ｓ４４）。その後、選別された結果が一覧表（過ごし方の気分別に推奨される番組の番組表であり、気分別推奨番組表とする）として表示出力部１１の表示画面に表示され（Ｓ４５）、ユーザー（視聴者）によって視聴する番組が決定される（Ｓ４６）。
【００９１】
この過ごし方指定パターンの動作によれば、ユーザー（視聴者）の視聴動機である気楽希求、情報希求、感動希求に応じて、視聴者の所望する生活態様「過ごし方」が指定され、この「過ごし方」の選択結果により、視聴する番組が決定される。この場合、視聴する番組は、例えば、記憶５に記憶されている視聴者毎の視聴者個人情報に基づいて、決定される。このため、ユーザー（視聴者）は、飛躍的に増大するデジタル放送の番組の中から、自分の過ごし方、気分に応じた番組が選び出され、選び出された番組を視聴することができる。
【００９２】
（番組選別パターンの動作）
選択パターン決定手段３ｂで決定された選択パターン（番組の選択方法）が番組選別パターンであった場合には、様々な放送伝送路（ネットワーク）を介して放送されているデジタル放送の番組の中から、ユーザー（視聴者）に好まれそうな番組が選別され、表示出力部１１に一覧表が表示される。そして、この一覧表に表示されている番組の中からユーザー（視聴者）が視聴したい番組が選択される。
【００９３】
この場合、ユーザー（視聴者）の特性（嗜好）を示すデータとして、予め、当該装置１の記憶部５に記憶されているユーザープロファイルデータベース（視聴者個人情報）と、デジタル放送の番組に多重化されているサービス情報（ＳＩ）および番組配列情報（ＰＳＩ）に含まれている番組の放送予定と、各番組の番組名、番組記述、番組分類によって構成されている放送予定データベース（サービス情報・番組配列情報）とが比較され、ユーザー（視聴者）が好む可能性の高い番組が選別され、その結果が表示出力部１１に表示され、ユーザー（視聴者）に選択される。
【００９４】
ここで、図１１に示すフローチャートを参照して、番組選別パターン選択時の動作をより詳細に説明する（適宜、図１参照）。
まず、主制御部３の比較手段３ｄで、ユーザープロファイルデータベース（視聴者個人情報）が参照され、ユーザー関心領域が設定される（Ｓ５１）。このユーザープロファイルデータベースには、ユーザーが登録した（入力した）性別、年齢層、地域に基づいて、自動的に設定される番組分類の領域（関心番組分類）と、ユーザー（視聴者）が入力部９を利用して入力した関心事項情報とをあわせたユーザー関心領域が設定されている。
【００９５】
また、選別番組情報生成手段３ｆで、放送予定データベースが参照され、今、放送されていて終了まで一定時間以上（例えば、３０分）の残り時間のある番組と、一定時間以内（例えば、１時間）に放送が開始される番組とを限定し（Ｓ５２）、この中から、ユーザー関心領域に該当する番組が、サービス情報のＥＩＴテーブルのコンテンツ記述子に含まれているジャンル１（大分類）、ジャンル２（中分類）により選別される（Ｓ５３）。
【００９６】
このユーザー関心領域に該当する番組の総数が７個以下であるかどうかが判断され（Ｓ５４）、総数が７個以下であると判断された場合（Ｓ５４、Ｙｅｓ）、これらの選別結果について、選別番組提示選択手段３ｇで、ジャンル１名（大分類名）、番組名、放送局等の一覧表（ジャンル毎の番組表であり、ジャンル毎番組表とする）が表示出力部１１の表示画面に表示され（Ｓ５７）、ユーザー（視聴者）によって選択される（Ｓ５８）。なお、この表示出力部１１に表示される際に、選別番組提示変更手段３ｈによって、現在時刻と放送終了時刻または放送予定時刻との差分時間に基づいて、ジャンル１名（大分類名）、番組名、放送局等の表示文字の大きさや、表示色または背景色が変更される。
【００９７】
Ｓ５４にて、ユーザー関心領域に該当する番組の総数が７個以下であると判断されない場合（Ｓ５４、Ｎｏ）、各ジャンル１（各大分類）または各ジャンル２（各中分類）に含まれている該当番組数（ジャンル毎の番組数を表にしたものであり、ジャンル毎番組数表とする）を、表示出力部１１の表示画面に表示し（Ｓ５５）、ユーザー（視聴者）が大分類または中分類を選択したのち（Ｓ５６）、当該大分類名または中分類名、番組名、放送局等の一覧表が表示出力部１１の表示画面に表示され（Ｓ５７）、ユーザー（視聴者）によって選択される（Ｓ５８）。
【００９８】
また、この番組選別パターンの動作では、ユーザープロファイルデータベース（視聴者個人情報）の中にユーザー（視聴者）の関心分野だけでなく、地名（地域名）や、関心のある事項として入力された人物名（例えば、出演者、番組制作者、脚本家等）が含まれている（登録されている）場合、放送予定データベースが用いられて、番組名、番組記述の中から、当該地名（地域名）、当該人物名を含む番組が地域人物名包含番組選択手段３ｉで検出され、表示出力部１１の表示画面に、大分類名、番組名、放送局等の一覧表が表示され、ユーザー（視聴者）によって選択される。
【００９９】
この番組選別パターンの動作によれば、関心番組分類生成手段３ｅで、記憶部５に記憶されている視聴者個人情報と、当該視聴者が個別に入力部９を利用して入力した視聴者個人の関心事項情報とに基づいて、関心番組分類が生成される。続いて、選別番組情報生成手段３ｆで、サービス情報に含まれている番組情報の番組分類と関心番組分類とが比較され、一致する番組の中から、当該番組が放送中である場合には、残りの放送時間に基づき、当該番組が放送予定の場合には、放送される放送時刻に基づいて、選別番組情報が生成される。そして、選別番組提示選択手段３ｇで、選別番組情報が一定数より多い場合には、ジャンル情報のみが表示され、一定数以下である場合には、選別番組情報が提示され、視聴者に選択される。なお、選別番組情報が一定数より多い場合に、複数のジャンル情報が表示され、このジャンル情報が選択された後には、このジャンル情報に係る（属する）選別番組情報が提示される。
【０１００】
選別番組提示変更手段３ｈによって、選別番組提示選択手段３ｇで選択した選別番組のジャンル１名（大分類名）、番組名、放送局等の一覧表が表示出力部１１の表示画面に表示される際に、現在時刻と放送終了時刻または放送予定時刻との差分時間に基づいて、これらジャンル１名（大分類名）、番組名、放送局等の表示文字の大きさや、表示色または背景色が変更される。これによって、視聴者は一目で、現在放送されている選別番組と現在放送されていない選別番組とを区別することができる。
【０１０１】
また、地域人物名包含番組選択手段３ｉで、視聴者の個人情報に地域名が含まれている場合や、視聴者個人の関心事項情報に人物名が含まれている場合には、これらの地域名や人物名が含まれている番組情報が地域人物名包含番組情報として検索され、視聴者に提示され、選択される。このため、飛躍的に増大するデジタル放送の番組の中から、ユーザー（視聴者）が視聴したいであろう番組が予め、選別されて提示されるので、この選別された番組を選択することで（簡単な操作で、あまり迷うことなく）、受信側のユーザー（視聴者）は、自分の嗜好に適合した番組を視聴することができる。
【０１０２】
（番組検索パターンの動作）
選択パターン決定手段３ｂで決定された選択パターン（番組の選択方法）が番組検索パターンであった場合には、ユーザー（視聴者）が関心のある事項（関心事項情報）を指定して（入力して）、それに関わる番組が選択される。
デジタル放送受信装置１では、予め全デジタル放送（地上波、衛星波、ケーブルテレビ網、通信回線網）の番組の放送予定が一定期間（例えば、現時点から１日間または１週間）、記憶部５のサービス情報・番組配列情報（放送予定データベース）に記憶されており、データベース作成手段３ｊによって、このサービス情報・番組配列情報に含まれている番組名、番組記述の中から、一般名詞、人物名、地域名が抜き出されて、番組を識別する番組識別情報（イベントＩＤ、サービスＩＤ、ネットワークＩＤ）を対照できるデータベース（検索語候補データベース）が作成される。
【０１０３】
そして、ユーザー（視聴者）が選択パターン決定手段３ｂで番組検索パターンを選択した場合、この検索語候補データベースから一般名詞、人物名、地域名が、検索語決定手段３ｋで、あいうえお順に整理されて表示出力部１１の表示画面に表示される。この表示された一般名詞、人物名、地域名の中から、ユーザー（視聴者）によって、関心のある１つまたは複数の検索語が選択され、検索語が決定される。例えば、検索語候補データベースの中から、ユーザー（視聴者）が視聴したい人物名を含んだ番組の番組名が表示出力部１１の表示画面に表示され、当該番組をユーザー（視聴者）が選択して視聴することが想定される。なお、この検索語決定手段３ｋで、あいうえお順に整理された一般名詞、人物名、地域名が表示出力部１１の表示画面に表示される際に、検索語提示変更手段３ｌで、これら一般名詞、人物名、地域名の表示文字の大きさや、表示色または背景色が変更される
【０１０４】
或いは、検索語候補データベースに番組名や番組識別を含ませず、検索語の候補のみのデータベースとする場合、設定された検索語によって、サービス情報・番組配列情報（放送予定データベース）の中の番組名や番組記述に含まれている番組が検索され、表示出力部１１の表示画面に表示されることになる。
【０１０５】
ここで、図１２に示すフローチャートを参照して、番組検索パターン選択時の動作をより詳細に説明する（適宜、図１参照）。
まず、データベース作成手段３ｊで、放送予定データベース（サービス情報・番組配列情報）が参照され、番組名と番組記述とに含まれる一般名詞、人物名、地域名が抜き出され、検索語候補データベースが作成される（Ｓ６１）。
【０１０６】
そして、検索語決定手段３ｋで検索語の候補が表示出力部１１の表示画面に表示され（Ｓ６２）、ユーザー（視聴者）によって検索語が１または複数（任意に）設定される（Ｓ６３）。続いて、放送予定データベースまたは検索語候補データベースが参照され、番組が検索される（Ｓ６４）。番組の検索結果が一覧表として表示出力部１１の表示画面に表示され（Ｓ６５）、ユーザー（視聴者）によって、視聴する番組が決定される（Ｓ６６）。この検索結果の一覧表が表示出力部１１の表示画面に表示される際に、検索語提示変更手段３ｌで、検索語と一致した部分の番組名、番組記述の表示文字の大きさや、表示色または背景色の変更がなされる。
【０１０７】
なお、Ｓ６１における検索語候補データベースの作成では、漢字かな混じり文から一般名詞、人物名、地域名が単語（文字列）として切り出され、この場合、単語の区切りがサービス情報の予約語を表す墨付きカッコ、《》、によって、或いは、「」、（）、〈〉、〜、−、▼、▽、！、スペース、句読点などの記号、および字種の変化箇所から判定される。
【０１０８】
なお、番組名や番組記述では、限られた字数、データ量の中で、番組を的確に紹介するために、体言止めも多いので、このような特定の記号、字種の変化箇所で単語の区切りが判定できる。また、墨付きカッコ、または、《》に囲まれた文字列は、これらに続く記述の属性を表すものなので、検索語としないように処理される。これによって、検索語候補に含まれる不要な雑音の一部を取り除くことができる。
【０１０９】
特に、作者、出演者、演出家、監督、キャスター、ゲスト、朗読者、ナレーター、音楽等の番組に対して、検索語の役割を特定した上で、人物名を検索語候補とする場合には、墨付きカッコ、《》に続く人物名が、検索語の役割を果たすものなので、この人物名と、検索対象としている人物名との一致を検索することが有効である。
【０１１０】
また、ＡＲＩＢ技術資料ＡＲＩＢ−ＴＲ−Ｂ１５（第二分冊）「ＢＳデジタル放送運用規定」付録Ｅに規定されている追加特殊文字、例えば、２カ国語放送を示す追加特殊文字（区点コード：９０区５８点）、選択表示できる字幕付きを示す追加特殊文字（区点コード：９０区５４点）、解説音声付きを示す追加特殊文字（区点コード：９０区６０点）等の放送番組の内容属性についても、追加特殊文字を指定して検索することで、ユーザー（視聴者）の希望に応じて番組を検索する際に有効である。
【０１１１】
さらに、番組名と番組記述に含まれる一般名詞、人物名、地域名の一覧表を送信側（放送局側）で作成し、データ放送または通信回線網を介してダウンロードデータの一部として放送して、受信側のデジタル放送受信装置１の受信部７で受信して、記憶部５に記憶させ、検索語候補データベースとして使用することにより、検索語候補の雑音を低減して、検索語の検索性能を向上させることができると共に、受信側のデジタル放送受信装置１の主制御部３におけるデータ処理量を低減することができる。
【０１１２】
また、検索語候補データベースのデータには、図１２の下方に示したように、一般名詞、人物名、地域名、ネットワークＩＤ、サービスＩＤ、イベントＩＤ、番組名が含まれている。
さらに、Ｓ６４において、番組が検索される際に参照されるデータベースは、検索語候補データベースにイベントＩＤが含まれている場合には、検索語候補データベースであり、イベントＩＤが含まれていない場合には、放送予定データベースである。
【０１１３】
この番組検索パターンの動作によれば、データベース作成手段３ｊで、サービス情報に含まれているスケジュール情報で規定される一定期間の番組名および番組記述の一般名詞、人物名、地域名と番組を識別するための番組識別情報とを対照できるデータベースが作成される。そして、検索語決定手段３ｋで、作成されたデータベースから一般名詞、人物名、地域名が抜き出され、検索語候補として視聴者に提示される。その後、決定された検索語に基づいて、番組検索パターンが決定される。また、検索語候補を作成する際に、特定の記号で区切られた文字列または字種が変化した文字列が一般名詞、人物名、地域名とみなされる。
【０１１４】
さらに、送信側で、番組名および番組記述に含まれている一般名詞、人物名、地域名の一覧表が生成される。そして、この一覧表が受信側で受信され、検索語決定手段３ｋで検索語候補が抜き出される。このため、飛躍的に増大するデジタル放送の番組の中から、ユーザー（視聴者）が視聴したい番組を検索するための検索語が容易に得られ、この検索語によって、視聴したい番組を容易に検索することができ、ユーザー（視聴者）は、自分の要求する番組を視聴することができる。
【０１１５】
また、検索語決定手段３ｋで決定された検索語を使用して、放送データベースが検索された場合に、検索語提示変更手段３ｌによって、放送データベースに含まれている番組名、番組記述の中で、検索語と一致した番組名、番組記述の表示文字の大きさや、表示色または背景色が変更して提示され、ユーザー（視聴者）は、これに基づいて、自分の視聴したい番組を容易に選択して視聴することができる。
【０１１６】
（選択パターンによってユーザーが番組を選択する概略について）
次に、図１３に示すフローチャートを参照して、前記した５個の選択パターンによって、ユーザー（視聴者）が番組を選択する概略の動作について説明する（適宜図１参照）。
【０１１７】
まず、ユーザー（視聴者）によって、デジタル放送受信装置１の電源がオンされる（Ｓ７１）と、この電源がオンされた現在時刻が、チャンネル設定パターンで設定されている特定の時間帯に該当しているかどうかが判断される（Ｓ７２）。特定の時間帯に該当していると判断された場合（Ｓ７２、Ｙｅｓ）には、デジタル放送受信装置１の表示出力部１１の表示画面に特定のチャンネルで放送されている番組が表示される（Ｓ７３）。この番組がユーザー（視聴者）に視聴される（Ｓ７４）。
【０１１８】
また、Ｓ７２にて、特定の時間帯に該当していると判断されなかった場合（Ｓ７２、Ｎｏ）には、デジタル放送受信装置１の表示出力部１１の表示画面に「受信ナビの先頭画面」（一例として、後記する図１４に図示）が表示される（Ｓ７５）。
【０１１９】
続いて、番組推奨パターンで設定されている時間（タイム）内であるかどうかが判断される（Ｓ７６）。この時間（タイム）内であると判断されなかった場合（Ｓ７６、Ｎｏ）、タイムアウト処理がなされ、表示出力部１１の表示画面に、番組推奨パターンにおいて推奨されている推奨番組が表示され（Ｓ７７）、この番組がユーザー（視聴者）に視聴される（Ｓ７４）。
【０１２０】
また、Ｓ７６にて、番組推奨パターンで設定されている時間（タイム）内であると判断された場合（Ｓ７６、Ｙｅｓ）、番組推奨パターンにおける推奨番組（推奨第２候補）を視聴するかどうかが判断される（Ｓ７８）。この推奨番組（推奨第２候補）を視聴するとユーザー（視聴者）が判断した場合（Ｓ７８、Ｙｅｓ）、選択操作がなされ（Ｓ７９）、この推奨番組がユーザー（視聴者）に視聴される（Ｓ７４）。
【０１２１】
また、Ｓ７８にて、番組推奨パターンにおける推奨番組（推奨第２候補）を視聴するとユーザー（視聴者）が判断しなかった場合（Ｓ７８、Ｎｏ）、気分別推奨（過ごし方指定パターン）における推奨番組を視聴するかどうかが判断される（Ｓ８０）。気分別推奨（過ごし方指定パターン）における推奨番組を視聴すると判断された場合（Ｓ８０、Ｙｅｓ）、気分別推奨（過ごし方指定パターン）を選択する選択操作がなされ（Ｓ８１）、気分別推奨番組表が表示出力部１１の表示画面に表示され（Ｓ８２）、選択操作によって当該気分別推奨番組表から推奨番組が選択されて（Ｓ８３）、この推奨番組がユーザー（視聴者）に視聴される（Ｓ７４）。
【０１２２】
また、Ｓ８０にて、気分別推奨（過ごし方指定パターン）における推奨番組を視聴すると判断されなかった場合（Ｓ８０、Ｎｏ）、限定領域選別（番組選別パターン）における選別番組を視聴するかどうかが判断される（Ｓ８４）。限定領域選別（番組選別パターン）における選別番組を視聴すると判断された場合（Ｓ８４、Ｙｅｓ）、限定領域選別（番組選別パターン）を選択する選択操作がなされ（Ｓ８５）、ジャンル毎番組表が表示出力部１１の表示画面に表示され（Ｓ８６）、選択操作によって当該ジャンル毎番組表から選別番組が選択されて（Ｓ８７）、この選別番組がユーザー（視聴者）に視聴される（Ｓ７４）。
【０１２３】
また、Ｓ８４にて、限定領域選別（番組選別パターン）における選別番組を視聴すると判断されなかった場合（Ｓ８４、Ｎｏ）、全領域選別（番組選別パターン）における選別番組を視聴するかどうかが判断される（Ｓ８８）。全領域選別（番組選別パターン）における選別番組を視聴すると判断された場合（Ｓ８８、Ｙｅｓ）、全領域選別（番組選別パターン）を選択する選択操作がなされ（Ｓ８９）、ジャンル毎番組数表が表示出力部１１の表示画面に表示される（Ｓ９０）。このジャンル毎番組数表から番組表を選択する選択操作がなされ（Ｓ９１）、番組表が表示出力部１１の表示画面に表示される（Ｓ９２）。選択操作によって当該番組表から選別番組が選択されて（Ｓ９２）、この選別番組がユーザー（視聴者）に視聴される（Ｓ７４）。
【０１２４】
また、Ｓ８８にて、全領域選別（番組選別パターン）における選別番組を視聴すると判断されなかった場合（Ｓ８８、Ｎｏ）、番組検索（番組検索パターン）における番組を視聴するかどうかが判断される（Ｓ９４）。番組検索（番組検索パターン）における番組を視聴すると判断されなかった場合（Ｓ９４、Ｎｏ）、Ｓ７６に戻る。さらに、番組検索（番組検索パターン）における番組を視聴すると判断された場合（Ｓ９４、Ｙｅｓ）、番組検索（番組検索パターン）を選択する選択操作がなされ（Ｓ９５）、検索語によって放送データベースが検索された検索結果が表示出力部１１の表示画面に表示され（Ｓ９６）、この中から番組が選択されて（Ｓ９７）、この番組がユーザー（視聴者）に視聴される（Ｓ７４）。
【０１２５】
（デジタル放送受信装置の動作例［実際に表示される表示画面の一例］）
次に、図１４〜図１９を参照して、デジタル放送受信装置１の表示出力部１１の表示画面に表示される（提示される）表示画面の例（提示画面の例）を説明する。ここでは、デジタル放送受信装置１を起動させた時刻が、チャンネル設定パターンで設定された時間帯に該当していないものとして、以下の説明をする。なお、デジタル放送受信装置１を起動させた時刻が、チャンネル設定パターンで設定された時間帯に該当している場合には、チャンネル設定パターンで設定されているチャンネルの番組が表示されることになる。
【０１２６】
まず、図１４の提示画面例（１）は、デジタル放送受信装置１を起動させた場合に表示出力部１１の表示画面に表示されるもので、この場合、記憶部５に記憶されている視聴者個人情報が参照された「番組推奨パターン」による番組が一定時間（例えば、１０秒程度）表示される。この図１４に示すように、「番組推奨パターン」によって推奨される番組の局番、番組名が「１７０ポチたま」である。
【０１２７】
さらに、推奨される他の番組として、ジャンル情報が「暮らし住まい」の番組として、局番、番組名が「１０２趣味の園芸」、「５５６ＤＩＹあした」の番組が、ジャンル情報が「映画」の番組として、局番、番組名（映画名）、公開年度、制作国が「６１１「ＤＮＡＶ」９６米」、「６１４「エドＴＶ」９９米」、「７１２「お日柄もよくご愁傷さま」９５日」の番組が、ジャンル情報が「ニュース報道」の番組として、局番、番組名が「１０１ＮＨＫニュース」の番組が表示されている。
さらにまた、推奨される他の番組の下方に「らくらくテレビ」、「さくさくテレビ」に移行するクリックボタン（リンクボタン）が表示されている。
【０１２８】
また、図１５の提示画面例（２）は、図１４に示した提示画面例（１）内の「らくらくテレビ」のクリックボタンが、デジタル放送受信装置１の入力部９（リモコン）の操作で押下された場合に移行する画面を示したものである。この「らくらくテレビ」は、デジタル放送受信装置１の主制御部３の関心番組分類生成手段３ｅで生成された関心番組分類と、記憶部５のサービス情報・番組配列情報の番組分類とが一致した選別番組情報（関心番組領域の番組、ジャンル毎番組表）を表示して、ユーザー（視聴者）に視聴したい番組を選択させるものである。
【０１２９】
つまり、この提示画面例（２）は、番組選別パターンにおいて生成されるジャンル毎番組表を示したもので、「ニュース報道」、「暮らし住まい」、「映画」、「自然動物環境」、「旅釣り野外」といったジャンル毎に各番組が表示されている。また、この提示画面例（２）における「ポチたま」（Ａ）という自然動物環境に属する番組は、現在放送中で残り放送時間３０分以上のものであり、「「お日柄もよくご愁傷さま」９５日」（Ｂ）という映画は、現在放送中で残り放送時間が３０分未満のものである。また、「ＮＨＫニュース  報道特集１９：３０〜」（Ｃ）は近く放送予定で３０分間以内に放送が開始されるものであり、「下町横町風物詩２０：００〜」（Ｄ）は近く放送予定で３０分間以上先に放送が開始されるものである。これら（Ａ）〜（Ｄ）の文字列の大きさ、表示色または背景色が他の文字列とは異なって表示されている。さらに、この番組の下方に「この他、放送番組全体から」に移行するクリックボタン（リンクボタン）が表示されている。
【０１３０】
この提示画面例（２）の様に画面を構成する以外に、例えば、番組名を表示する先頭にアイコン記号を表示させ、このアイコン記号の表示色が現在時刻と当該番組の放送時刻とに基づいて適宜変更するようにして、番組名の一覧表を作成し、この一覧表を主に画面を構成する仕方がある。
【０１３１】
次に、図１６（ａ）の提示画面例（３）は、図１５に示した提示画面例（２）内の「この他、放送番組全体から」のクリックボタンが、デジタル放送受信装置１の入力部９（リモコン）の操作で押下された場合に移行する画面を示したものである。この提示画面例（３）では、各ジャンル情報（大分類名）が示されると共に、このジャンル情報に属する番組の属性（中分類名）と番組数が提示されている。つまり、例えば、大分類名「ニュース／報道」には、中分類名「定時総合」（番組数３）、中分類名「天気」（番組数：２）、中分類名「特集ドキュメント」（番組数：２）があることが提示されている（表示されている）。
【０１３２】
また、図１６（ｂ）の提示画面例（４）は、図１６（ａ）に示した提示画面例（３）内の「ドラマ」のクリックボタン（リンクボタン）が、デジタル放送受信装置１の入力部９（リモコン）の操作で押下された場合に移行する画面を示したものである。さらに、この提示画面例（４）は、いま放送中のドラマから視聴する番組をユーザー（視聴者）が選択する場合の画面である。
この提示画面例（４）では、番組名と、番組のサブタイトル名と、主要な出演者名とが提示されている（表示されている）。
【０１３３】
さらに、図１７（ａ）の提示画面例（５）は、図１６（ｂ）に示した提示画面例（４）内に含まれている４個の「ドラマ」の静止画像（サンプル画像）を提示する（表示する）画面を示したものである。
【０１３４】
次に、図１７（ｂ）の提示画面例（６）は、図１４、図１５に示した提示画面例（１）、（２）内の「さくさくテレビ」のクリックボタンが、デジタル放送受信装置１の入力部９（リモコン）の操作で押下された場合に移行する画面を示したものである。提示画面例（６）は、ユーザー（視聴者）が視聴したい番組を検索するための画面であり、この提示画面例（６）には、ユーザー（視聴者）が入力部９（キーボード）を利用して、「内容分類」、「出演者」、「地域名称」、「そのほか」の情報を入力する入力欄と、検索を開始する「検索開始」ボタンとが設けられている。
【０１３５】
また、図１８の提示画面例（７）は、図１７（ｂ）に示した提示画面例（６））内の入力欄に、ユーザー（視聴者）が情報を入力し、「検索開始」ボタンをクリックした後の検索結果を表示したものである。この図１８の提示画面例（７）に示したように、入力された検索キーワード（検索語）は、「海外ドラマ」、「時代劇」、「あおい輝彦」、「泉ピン子」であり、この提示画面例（７）には、検索結果として該当する番組「水戸黄門」、「渡る世間は鬼ばかり」、「アリー・ｍｙラブ４」、「愉快なシーバー家」の４個が提示されている。ここでは、検索キーワード（検索語）に合致した項目の例を示しており、番組の分類が合致している場合には、番組の表示色を変更している。すなわち、「水戸黄門」は時代劇に該当しており、「アリー・ｍｙラブ４」、「愉快なシーバー家」は海外ドラマに該当しているので、これらの番組の表示色が他の文字列とは異なって表示されている。なお、検索キーワード（検索語）に合致する番組名および番組記述がない場合には、この検索キーワード（検索語）のみの表示色または表示パターン（文字列の大きさが変更される、または、文字列に装飾（網掛け、下線等）がなされる）が変更されて表示される。
【０１３６】
次に、図１９の提示画面例（８）は、ユーザー（視聴者）の個人情報であるユーザープロファイルデータベース（視聴者個人情報）を作成する際のユーザー情報（設定）を入力する画面を示したものである。
【０１３７】
（試作したデジタル放送受信装置および評価実験について）
最後に、図２０〜図２７を参照して、実際に試作したデジタル放送受信装置１（受信ナビシステム）および評価実験について説明する。
図２０は、デジタル放送受信装置１（以下、受信ナビシステムとする）によって、番組を視聴する際の視聴態度について説明したものである。この図２０に示したように、視聴態度には、視聴行動が「専念視聴」および視聴意識が「目的指向」である視聴態度Ａと、視聴行動が「ながら視聴」および視聴意識が「目的指向」である視聴態度Ｂと、視聴行動が「専念視聴」および視聴意識が「何気なく」である視聴態度Ｃと、視聴行動が「ながら視聴」および視聴意識が「何気なく」である視聴態度Ｄとが想定される（友宗、原：“時間快適化装置としてのテレビ”，放送研究と調査，５１巻１１号，ｐｐ．２−１７，（Ｎｏｖ．２００１）参照）。
【０１３８】
視聴態度Ａは、放送されている番組を集中して視聴する視聴態度であり、例えば、ニュース、教養特集、ドラマ、ドキュメンタリーを、あたかも映画館や劇場等で映画や演劇を見るように視聴する視聴態度である。
視聴態度Ｂは、放送されている番組を、何かをしながら視聴する視聴態度であり、例えば、家事をしながら、台風情報を視聴する、或いは、食事をしながらニュース、スポーツ中継を視聴する視聴態度である。
【０１３９】
視聴態度Ｃは、放送されている番組を、目的意識はありながらも何気なく視聴する視聴態度であり、例えば、家事や食事をしている部屋で、受信ナビシステムを起動させておいて、この受信ナビシステムで放送されている番組の音声等を参考することで、おおよその時刻を知る等、時計代わりに放送されている番組を視聴する視聴態度である。
視聴態度Ｄは、放送されている番組を、目的意識なく、何気なく視聴する視聴態度であり、例えば、時間をもてあましている場合に、放送されている番組をだらだらと視聴する視聴態度である。
【０１４０】
また、これらの視聴態度Ａ〜Ｄは、個々の視聴者によっても一定ではなく、生活時間帯や視聴者の気分によって変化するものである。ここで、視聴する番組の選択の方法と視聴態度とについて、図２１を参照して説明する。
図２１は、番組選択方法と視聴態度（視聴態度Ａ〜Ｄ）との関係について示した図である。番組選択方法に、番組検索と、番組選択と、番組推奨とを列挙している。
【０１４１】
番組検索は、関心のある事項に関連する番組があれば視聴する（番組検索パターンに相当する）。視聴態度ＡおよびＢの場合に適切な番組選択方法である。
番組選択は、放送されている番組の中から番組を選んで視聴する（番組選別パターンに相当する）。例えば、新聞、雑誌の番組表、ＥＰＧを参照し、チャンネルを素早く切り替えるなどして、放送中の番組から選んで視聴する。視聴態度Ａ〜Ｃの場合に適切な番組選択方法である。
【０１４２】
番組推奨は、視聴者が意図する過ごし方に適合した番組があれば視聴する（番組推奨パターン、過ごし方指定パターンに相当する）。例えば、気楽で、楽しい気分で過ごしたい等、推奨された適当な番組を視聴する。この番組推奨は、番組を視聴するのに消極的な視聴者に対応している方法である。視聴態度ＣおよびＤの場合に適切な番組選択方法である。
【０１４３】
次に、番組選択方法が番組検索、番組選択、番組推奨に対応する受信ナビシステム（本発明であるデジタル放送受信装置の一実施形態）について、図２２を参照して説明する。図２２は、受信ナビシステムのブロック図であり、この図に示すように、受信ナビシステム２１は、デコーダ部２３と、ＳＩデータベース２５と、番組選別・検索部２７と、項目選択マウス操作部２９と、ＰＦデータベース３１と、番組推奨エンジン部３３と、対話意図把握部３５と、ＧＤＣ部３７と、ＨＤＴＶ表示部３９とを備えている。
【０１４４】
デコーダ部２３は、デジタルＴＶ信号をデコード（復号）するものである。ＳＩデータベース２５はＳＩ（番組配列情報）を蓄積するものである。番組選別・検索部２７は、番組を選別、検索する。項目選択マウス操作部２９は、マウス等のユーザーインターフェースであり、当該受信ナビシステム２１のユーザーが操作するものである。ＰＦデータベース３１は、視聴者のプロファイル（ＰＦ）データを蓄積するものである。番組推奨エンジン部３３は、番組推奨に含める番組を選択するものである。対話意図把握部３５は、番組選別・検索部２７、項目選択マウス操作部２９および番組推奨エンジン部３３と制御信号を入出力して、ＧＤＣ部３７を制御するものである。ＧＤＣ部３７は、対話意図把握部３５による制御によって、デコーダ部２３でデコードされたデジタルＴＶ信号をＨＤＴＶ表示部３９に出力するものである。ＨＤＴＶ表示部３９は、デコードされたデジタルＴＶ信号を表示出力するものである。
【０１４５】
この受信ナビシステム２１を使用して、番組検索、番組選別、番組推奨によって、放送されている番組を選択する手順について、図２３を参照して説明する（適宜、図２２参照）。
【０１４６】
図２３は、番組選択の手順を一覧表にしたものである。この図２３に示すように、番組検索の自由語彙および限定語彙の場合、ＳＩデータベース２５に記憶されているＳＩデータの中で、番組名、番組記述を示すイベント記述子が使用される。自由語彙の場合、視聴者が設定する自由な検索語で番組が検索され、検索語に該当したものが表示され、その中から選択される。限定語彙の場合、全番組の番組名、番組記述に含まれる名詞、人名、地名が検索語候補として表示され、視聴者が選んだ検索語で番組が検索され、その中から選択される。
【０１４７】
番組選別の全番組領域および関心領域の場合、ＳＩデータベース２５に記憶されているＳＩデータの中で、番組の大分類、中分類を示すコンテンツ記述子および番組名、番組記述を示すイベント記述子が使用される。また、番組選別の関心領域の場合、ＰＦデータベース３１に記憶されているＰＦデータの中で、視聴者の性別、年齢層、地域、関心分野（番組分類）、視聴者の視聴履歴が使用される。全番組領域の場合、番組分類にそって階層的に表示される番組表（ジャンル毎番組数表に相当する）が用いられ、全番組の中から選択される。関心領域の場合、関心分野・視聴者層に合わせた関心領域に限定して該当する番組が選別されて表示され、その中から選択される。
【０１４８】
番組推奨の気分別および一番組の場合、ＳＩデータベース２５に記憶されているＳＩデータの中で、番組の大分類、中分類を示すコンテンツ記述子および番組名、番組記述を示すイベント記述子が使用される。また、ＰＦデータベース３１に記憶されているＰＦデータの中で、視聴者の性別、年齢層、地域、関心分野（番組分類）、視聴者の視聴履歴が使用される。気分別の場合、どんな気分で過ごすのかの視聴者の希望を、気楽（気楽希求）、情報（情報希求）および感動（感動希求）に分けられ、該当していれば、表示され、その中から選択される。一番組の場合、関心領域の選別結果から、残り時間が長く、番組分類の推奨順位にそって決定され、推奨される。
【０１４９】
次に、受信ナビシステム２１を使用して、受信ナビゲーションが有効に機能しているかどうか（視聴者の嗜好に応じた番組が選択されるかどうか）を評価する主観評価実験の結果について、図２４〜図２７を参照して説明する。
【０１５０】
まず、主観評価実験の概要（１）〜（４）について説明する。
（１）評価方法は、単一刺激法（５段階尺度）と、数値尺度法を使用した。受信ナビシステム２１を使用して番組選択操作に関する印象について、図２６に示した２４対の形容詞、または、形容動詞がどの程度当てはまっているか５段階評価する。また、当該受信ナビシステム２１を実際に使用したいと感じる程度を１００点満点で評価する。
【０１５１】
（２）観視条件は、標準観視条件であり、使用するモニターは、３０インチハイビジョン液晶テレビであり、視距離は、４Ｈである。
（３）実験のパラメータは、次に示す番組選択手順（○印が最初の画面）と、場面設定とを組み合わせた６ケースを評価者が与えられた順に試用して評価する。選択手順Ｉは、○番組選別、番組検索であり、選択手順ＩＩは、○番組推奨、気分別推奨であり、選択手順ＩＩＩは、○番組推奨、気分別推奨、番組選別、番組検索である。場面設定ａは、朝、朝食時（これから外出する予定）であり、場面設定ｂは、夜、夕食時（食事の後でくつろぐ時）である。提示情報のデザイン「あ」は、「テレビにおまかせ」であり、提示情報のデザイン「い」は、「ごくらくテレビ」である。選択手順が表示される順序は、評価者毎にランダムとし、場面設定はａｂまたはｂａの順で切り替える。提示情報のデザインは「あ」を基本、「い」の一部を評価する。
【０１５２】
（４）評価者は３０名であり、世代は２０〜３０才代の若年層と、６５才以上の高齢層との２群とし、男女比も共にほぼ半々とする。以上の条件で、主観評価実験を２００３年１月１０日〜２００３年１月２７日までの１８日間実施した。なお、主観評価実験は評価者毎、個別に行った。
【０１５３】
評価者各人の主観評価実験は、９セッション（第１セッションから第９セッション）からなり、最初の６セッション（第１セッションから第６セッションまで）では、Ｉａ〜ＩＩＩｂの内の一種類について、１５分間を限度で受信ナビシステム２１を試用し、その印象について、図２６に示した形容詞対のどちら側に当てはまるかを５段階評価するものである。この主観評価実験で使用した印象評価用の形容詞対は、受信ナビシステム２１を大づかみに評価するためのもので、形容詞自体のもつ概念が広範囲なものである。
【０１５４】
また、評価者の心理的な負担を軽減するために、主観評価実験を行う際の事前の教示において、「あまり深く考えないこと、直感的に判断して欲しいこと」を説明した。
【０１５５】
第７セッションでは、試用した６ケースに「受信ナビシステム２１を使用したい」と思う程度を１００点満点で総合評価した。番組選択する際の操作方法に共通点が多いので、試用する時間は徐々に減少することが多かった。
【０１５６】
この主観評価実験で使用したＨＤＴＶ表示部３９の表示画面の一例を図２４に示す。この主観評価実験では、選択された番組の代わりに、当該番組が選択されたことを示す静止画が提示されるようにした。この主観評価実験の実験結果（評価の平均と標準偏差）を図２５に示す。
【０１５７】
この図２５は、受信ナビシステム２１を使用した際に、実験のパラメータの選択手順Ｉについて、場面設定ａのときの評価（受信ナビシステム２１の使いやすさを１００点満点としたときの点数）を「Ｉａ」に、選択手順Ｉについて、場面設定ｂのときの評価を「Ｉｂ」に、選択手順ＩＩについて、場面設定ａのときの評価を「ＩＩａ」に、選択手順ＩＩＩについて、場面設定ａのときの評価を「ＩＩＩａ」に、選択手順ＩＩＩについて、場面設定ｂのときの評価を「ＩＩＩｂ」に示したものである。また、図２５中、棒グラフ対の左側が若年層（若齢）、右側が高齢層（高齢）の評価を示している。この図２５に示すように、標準偏差は１０〜１６程度であり、有意な差とはいえないとしても、次に述べる傾向（１）〜（３）が認められる。
【０１５８】
（１）受信ナビシステム２１を使用する場面（朝、夜）で比べると、朝は、ＩＩ、夜は、Ｉ、ＩＩＩの評価が高い。
（２）若年層では、朝、夜の評価に１０点以上の差異がみられる。高年層では、その差異が少ない。
（３）選択手順としては、朝では、ＩＩ番組推奨、夜では、ＩＩＩ番組推奨、番組選別、番組検索の組み合わせの評価が高い。
【０１５９】
これらのことから、受信ナビシステム２１の使用方法（案内方法）として、番組推奨は、若年層にとって朝の慌ただしい生活時間帯では有効とされ、高齢層にとって全生活時間帯で番組選別、番組検索とを併せて備えることで有効とされると解釈することができる。
【０１６０】
また、どのような観点から、受信ナビシステム２１が評価されているかを明確にするために、セッション１〜６、８、９の全評価者の印象評価に使用した２４項目について、印象評価の主成分分析を行った。この主成分分析の結果（情報吸収量の上位３つの主成分分析）を図２７に示す。
【０１６１】
図２７に示すように、第１主成分は４０．２％、第２主成分は１５．０％、第３主成分は５．３％であり、合計で６０．５％となっている。第１主成分は、単純な、能率がよい、選びやすい、分かりやすい、整理された、使い易い等、使用における「能率良さ」、第２主成分は、豊富な、自由な、楽しい、おもしろい等で「豊富さ」、第３主成分は、のんびりした、やさしい、暢気な等で「暢気さ」と解釈される。
【０１６２】
評価者の世代（若年層、高齢層）に分けて、それぞれの主成分分析をすると、第１主成分、第２主成分は、双方の世代とも大きな差異はなかった。しかし、第３主成分は若年層で、陽気、整理、やさしい等で「暢気さ」、高齢層で斬新、おもしろい、自由な等で「斬新さ」といった差異がみられた。
【０１６３】
以上、一実施形態に基づいて本発明を説明したが、本発明はこれに限定されるものではない。
デジタル放送受信装置１の各構成の処理を１つ１つのステップ（過程）と捉えたデジタル放送受信方法とみなすことや、各構成の処理を汎用のコンピュータ言語で記述したデジタル放送受信プログラムとみなすことも可能である。この場合、デジタル放送受信装置１と同様の効果が得られる。
【０１６４】
【発明の効果】
請求項１、２、１５記載の発明によれば、地上波、衛星波、ケーブルテレビ網および通信回線網を通じて送信されているデジタル放送の番組が、視聴者の視聴意図に応じて、選択パターンが切り替えられる。つまり、デジタル放送の番組数が増大しても、所定の選択パターンによって、放送される番組の中から、視聴者は、自分の嗜好に応じた番組を視聴することができる。
【０１６５】
請求項３記載の発明によれば、視聴者の個人情報とデジタル放送におけるサービス情報に含まれている番組情報とが比較され、この比較された比較結果に基づいて、番組選別パターンにおける番組が設定される。この番組選別パターンにおいて選別された番組を選んで視聴することで、視聴者は、送信されるデジタル放送の番組数が増大しても、視聴者の嗜好に適合した番組を簡単に視聴することができる。
【０１６６】
請求項４記載の発明によれば、視聴者の個人情報と、当該視聴者が個別に入力した視聴者個人の関心事項情報とに基づいて、関心番組分類が生成される。続いて、サービス情報に含まれている番組情報の番組分類と関心番組分類とが比較され、一致する番組の中から、当該番組が放送中である場合には、残りの放送時間に基づき、当該番組が放送予定の場合には、放送される放送時刻に基づいて、選別番組情報が生成される。そして、選別番組情報が一定数より多い場合には、ジャンル情報のみが表示され、一定数以下である場合には、選別番組情報が提示され、視聴者に選択される。このため、飛躍的に増大するデジタル放送の番組の中から、視聴者が視聴したいであろう番組が予め、選別されて提示されるので、この選別された番組を選択することで（簡単な操作で、あまり迷うことなく）、受信側の視聴者は、自分の嗜好に適合した番組を視聴することができる。また、現在放送中の選別番組については、残りの時間を考慮して、選別番組を選択することができ、現在放送中でない選別番組については、待ち時間を考慮して、選別番組を選択することができ、視聴する番組を選択する際に、よりきめ細かな判断をすることができる。
【０１６７】
請求項５記載の発明によれば、地域名や人物名が含まれている番組情報が地域人物名包含番組情報として検索され、視聴者に提示されるので、飛躍的に増大するデジタル放送の番組の中から、視聴者が視聴したい地域名、人物名に係る番組が予め、選別されて提示されるので、この選別された番組を選択することで、受信側の視聴者は、自分の嗜好に適合した番組を視聴することができる。
【０１６８】
請求項６記載の発明によれば、サービス情報に含まれているスケジュール情報で規定される一定期間の番組名および番組記述の一般名詞、人物名、地域名と番組を識別するための番組識別情報とを対照できるデータベースが作成される。そして、作成されたデータベースから一般名詞、人物名、地域名が抜き出され、検索語候補として視聴者に提示される。その後、決定された検索語に基づいて、番組検索パターンが決定される。この番組検索パターンにおいて検索された番組を選んで視聴することで、視聴者は、送信されるデジタル放送の番組数が増大しても、視聴者の嗜好に適合した番組を簡単に視聴することができる。
【０１６９】
請求項７記載の発明によれば、検索語に該当する番組の番組名、番組記述が提示される際に、当該検索語と番組名、番組記述とに合致した部分がある場合、当該検索語に合致した部分の番組名、番組記述の表示色が他の表示色とは変更されて提示されると共に、当該検索語と番組名、番組記述とに合致した部分がない場合、当該検索語だけの表示色または表示パターンが他の表示色とは変更されて提示される。このため、視聴者は、検索した番組を簡単に区別することができ、視聴者の嗜好に適合した番組を簡単に選択して視聴することができる。また、番組検索パターンで、検索された番組が、どのような点でユーザーの望みに合致しているのかが一目でわかると共に、複数の番組が検索語と合致している場合、複数の番組の中から最終的に番組を決定する際の的確な判断を下すことができる。
【０１７０】
請求項８記載の発明によれば、検索語候補を作成する際に、特定の記号で区切られた文字列または字種が変化した文字列が一般名詞、人物名、地域名とみなされる。このため、デジタル放送の番組を検索する際に供される検索語を容易に検出することができる。
【０１７１】
請求項９記載の発明によれば、送信側で、番組名および番組記述に含まれている一般名詞、人物名、地域名の一覧表が生成される。そして、この一覧表が受信側で受信され、検索語決定手段で検索語候補が抜き出される。このため、デジタル放送の番組を検索する際に供される検索語を容易に検出することができる。
【０１７２】
請求項１０記載の発明によれば、視聴者の視聴動機である気楽希求、情報希求、感動希求に応じて、視聴者の所望する生活態様「過ごし方」が指定され、この「過ごし方」の選択結果により、視聴する番組が決定されるので、視聴者は視聴する番組自体を取捨選択することなく、生活態様に応じた番組を視聴することができる。
【０１７３】
請求項１１記載の発明によれば、番組推奨パターンにおいて推奨された番組を視聴することで、視聴者は、送信されるデジタル放送の番組数が増大しても、視聴者の嗜好に適合した番組を自動的に（受動的に）視聴することができる。
【０１７４】
請求項１２記載の発明によれば、気楽希求、情報希求、感動希求の優先順位が曜日毎の時間帯で切り替えられ、この優先順位に基づいて、番組推奨パターンが生成される。このため、視聴者は、送信されるデジタル放送の番組数が増大しても、視聴者の嗜好に適合した番組が曜日毎の時間帯で自動的に切り替えられ、簡単に視聴することができる。視聴者の生活時間に合わせた番組を推奨することができる。
【０１７５】
請求項１３記載の発明によれば、ジャンル情報の各ジャンルに、気楽希求、情報希求および感動希求の３因子の重み付けが設定された因子重み付けテーブルによって、各ジャンル、例えば、ジャンル「ニュース」の場合、情報希求の重み（重み付けの重み）を大きくすることができ、ジャンル「ドラマ」の場合、気楽希求および感動希求の重み（重み付けの重み）を大きくすることができ、番組推奨パターンにおいて、視聴者の気分にあった番組を提供することができる。また、デジタル放送のＳＩ（サービスインフォメーション）で放送されている各番組のジャンル分けを利用して、各番組の気楽、情報および感動の３因子の傾向を簡単に求めることができる。
【０１７６】
請求項１４記載の発明によれば、因子重み付けテーブル更新手段で因子重み付けテーブルがダウンロードされることによって更新される。これによって、デジタル放送のＳＩの運用について見直しがあった場合に即座に（的確に）対応することができる。つまり、３因子の重み付けが、送信側の番組制作者の意図によって変更することができる。
【図面の簡単な説明】
【図１】本発明による一実施の形態であるデジタル放送受信装置のブロック図である。
【図２】図１に示したデジタル放送受信装置の選択パターンを説明した説明図である。
【図３】デジタル放送受信装置の全体の動作を説明したシーケンスチャートである。
【図４】視聴者個人情報の処理手段を説明したフローチャートとデータ内容を説明した図である。
【図５】サービス情報・番組配列情報の受信処理を説明したフローチャートとデータの内容を説明した図である。
【図６】チャンネル設定パターンの動作を説明したフローチャートである。
【図７】番組推奨パターンの動作を説明したフローチャートである。
【図８】因子重み付けテーブル示した図である。
【図９】３因子係数表を示した図である。
【図１０】過ごし方指定パターンの動作を説明したフローチャートである。
【図１１】番組選別パターンの動作を説明したフローチャートである。
【図１２】番組検索パターンの動作を説明したフローチャートである。
【図１３】選択パターンによってユーザーが番組を選択する概略の動作を説明したフローチャートである。
【図１４】提示画面例（起動直後）を説明した図である。
【図１５】提示画面例（らくらくテレナビクリック）を説明した図である。
【図１６】（ａ）提示画面例（全番組選別）を説明した図である。
（ｂ）提示画面例（「ドラマ」選別後）を説明した図である。
【図１７】（ａ）提示画面例（「ドラマ」静止画）を説明した図である。
（ｂ）提示画面例（検索画面）を説明した図である。
【図１８】提示画面例（検索結果）を説明した図である。
【図１９】提示画面例（ユーザー設定）を説明した図である。
【図２０】番組を視聴する際の視聴態度について説明した図である。
【図２１】番組選択方法と視聴態度との関係について示した図である。
【図２２】受信ナビシステムのブロック図である。
【図２３】放送されている番組を選択する手順について説明した図である。
【図２４】主観評価実験の表示画面の一例を示した図である。
【図２５】主観評価実験の実験結果を示した図である。
【図２６】主観評価実験で使用した印象評価用の形容詞対を示した図である。
【図２７】印象評価の主成分分析の結果を示した図である。
【符号の説明】
１        デジタル放送受信装置
３        主制御部
３ａ      選択パターン提示手段
３ｂ      選択パターン決定手段
３ｃ      選択パターン切替手段
３ｄ      比較手段
３ｅ      関心番組分類生成手段
３ｆ      選別番組情報生成手段
３ｇ      選別番組提示選択手段
３ｈ      選別番組提示変更手段
３ｉ      地域人物名包含番組選択手段
３ｊ      データベース作成手段
３ｋ      検索語決定手段
３ｌ      検索語提示変更手段
５        記憶部
７        受信部
９        入力部
１１      表示出力部
【図１】
2004254077.tif 000003
【図２】
2004254077.tif 000004
【図３】
2004254077.tif 000005
【図４】
2004254077.tif 000006
【図５】
2004254077.tif 000007
【図６】
2004254077.tif 000008
【図７】
2004254077.tif 000009
【図８】
2004254077.tif 000010
【図９】
2004254077.tif 000011
【図１０】
2004254077.tif 000012
【図１１】
2004254077.tif 000013
【図１２】
2004254077.tif 000014
【図１３】
2004254077.tif 000015
【図１４】
2004254077.tif 000016
【図１５】
2004254077.tif 000017
【図１６】
2004254077.tif 000018
【図１７】
2004254077.tif 000019
【図１８】
2004254077.tif 000020
【図１９】
2004254077.tif 000021
【図２０】
2004254077.tif 000022
【図２１】
2004254077.tif 000023
【図２２】
2004254077.tif 000024
【図２３】
2004254077.tif 000025
【図２４】
2004254077.tif 000026
【図２５】
2004254077.tif 000027
【図２６】
2004254077.tif 000028
【図２７】
2004254077.tif 000029